(57)【要約】【課題】　公衆無線通信端末を介して無線タグのデータをサービスサイトへ自動的に送信しサービスサイトから所定のサービス内容の提供を受ける。【解決手段】　無線タグ１０１と無線タグの読み取り口２８を備えた公衆無線通信端末１０２と、公衆無線通信端末１０２と交信可能なサービスサイト１０４から構成し、無線タグ１０１が公衆無線通信端末の読み取り口２８を介して公衆無線通信端末１０２へ送出するデータにサービスサイト１０４のアドレスを特定する情報と、特定されたサービスサイト１０４が処理すべきサービス内容を特定する情報とを含め、前記の情報を公衆無線通信端末１０２から受信したサービスサイト１０４は前記サービス内容を起動する。【選択図】　　　図１
2004112773.tif 000002
【特許請求の範囲】
【請求項１】
　無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記サービスサイトのアドレスを特定する情報と、前記アドレスのサービスサイトに於いて処理すべきサービス内容を特定する情報とを含め、前記公衆無線通信端末の無線タグ読み取り口で読み取った無線タグの送出データのアドレス情報からサービスサイトを特定するアドレス特定手段と、前記アドレス特定手段によって特定するサービスサイトに於いて処理すべきサービス内容を特定する情報からサービス内容を特定するサービス内容特定手段と、前記サービス内容特定手段によって特定するサービス内容を起動するサービス起動手段とを備えたことを特徴とするサービス起動システム。
【請求項２】
　無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記無線タグの自己を特定する固有のＩＤデータを含め、前記ＩＤデータを通してサービスサイトのアドレスを特定するデータと、前記アドレスのサービスサイトに於いて処理すべきサービス内容を特定するデータとが索引可能なサービス特定データベースを設け、前記公衆無線通信端末の無線タグ読み取り口で読み取った前記無線タグの送出データに含まれるＩＤデータから前記サービス特定データベースを索引することにより特定されるサービスサイトに於いて特定されるサービス内容を起動可能ならしめるように構成したことを特徴とするサービス起動システム。
【請求項３】
　無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記サービスサイトのアドレスを特定するアドレス情報と、前記アドレス情報からアドレス特定手段を通して特定するサービスサイトの中で自己を特定する固有のＩＤデータとを含め、前記アドレス情報からアドレス特定手段を通して特定するサービスサイトに於いて前記ＩＤデータから処理すべきサービス内容を特定するデータを索引可能なサービス内容特定データベースを設け、前記公衆無線通信端末の無線タグ読み取り口で読み取った前記無線タグの送出データのアドレス情報から特定するサービスサイトの中で前記サービス内容特定データベースを索引することにより特定されるサービス内容を起動可能ならしめるように構成したことを特徴とするサービス起動システム。
【請求項４】
　請求項１乃至３の内のいずれか一つに記載のサービス起動システムであって、前記公衆無線通信端末の無線タグ読み取り口に時計機構を設け、前記時計機構によって前記無線タグに対して前記公衆無線通信端末の無線タグ読み取り口をかざし前記無線タグの送出データを読み取ったときの時刻データを前記サービスサイトに送信可能ならしめるように構成したことを特徴とするサービス起動システム。
【請求項５】
　請求項１乃至３の内のいずれか一つに記載のサービス起動システムであって、前記サービスサイトに時計機構を設け、前記無線タグの送出データから特定するサービスサイトに於いて特定するサービス内容の中で前記時計機構によってサービスの開始、または、終了と定める時刻データを記録する手段を備えたことを特徴とするサービス起動システム。
【請求項６】
　請求項４又は５に記載のサービス起動システムであって、電波時計の基準信号である長波標準電波に同期する標準時刻発生手段を設け、前記標準時刻発生手段を通して前記時計機構の精度維持を可能ならしめたことを特徴とするサービス起動システム。
【請求項７】
　請求項１乃至３の内のいずれか一つに記載のサービス起動システムであって、前記無線タグに前記公衆無線通信端末の無線タグ読み取り口をかざし前記無線タグの送出データを正しく読み取ったときに前記送出データの正常読み取り完を明示する手段を前記公衆無線通信端末に設けたことを特徴とするサービス起動システム。
【請求項８】
　請求項７に記載のサービス起動システムであって、前記公衆無線通信端末にクリック音を発生させる擬音発生手段を設け、前記無線タグの送出データの正常読み取りを前記公衆無線通信端末が完了した時に前記擬音発生手段によってクリック音を発生させることを可能ならしめたサービス起動システム。
【請求項９】
　請求項１乃至３の内のいずれか一つに記載のサービス起動システムであって、前記サービスサイトに於いて起動するサービス内容に関するデータ、サービスを起動した時刻、並びに前記公衆無線通信端末の所有者に関するデータを集計し分析する手段を備えたことを特徴とするサービス起動システム。
【請求項１０】
　請求項１乃至３の内のいずれか一つに記載のサービス起動システムであって、商品広告その他情報提供媒体に貼付した前記無線タグに前記公衆無線通信端末の無線タグ読み取り口をかざしたときに前記サービスサイトから前記公衆無線通信端末に対して前記商品広告その他情報提供媒体が提供する内容に関連する商品の販売、予約並びに関連する詳細情報などの提供に係わるサービス内容の起動を可能ならしめるように構成したことを特徴とするサービス起動システム。
【請求項１１】
　請求項１０に記載のサービス起動システムであって、時間の経過と共に提供する内容を変える前記商品広告その他情報提供媒体の提供内容ごとの対応する場所に固有の前記無線タグを貼付し、前記商品広告その他情報提供媒体の提供内容の中で対応する前記無線タグの貼付場所を明示可能ならしめるサービス起動システム。
【請求項１２】
　請求項１０に記載のサービス起動システムであって、時間の経過と共に提供する内容を変える前記商品広告その他情報提供媒体に貼付する前記無線タグの送出データと、前記公衆無線通信端末の無線タグ読み取り口で読み取ったときの請求項４もしくは請求項５に記載の時計機構による時刻データとを前記サービスサイトが合わせて、前記商品広告その他情報提供媒体の提供内容を特定可能ならしめるサービス起動システム。
【請求項１３】
　請求項１０に記載のサービス起動システムであって、商品広告その他情報提供媒体に貼付した前記無線タグに前記公衆無線通信端末の読み取り口をかざしたとき特定する前記サービスサイトを携帯電話向けに設置されたホームページとして、前記ホームページから提供されかつ前記公衆無線通信端末を通して受け取り可能なサービス内容の起動を可能ならしめるサービス起動システム。
【請求項１４】
　請求項１乃至３の内のいずれか一つに記載のサービス起動システムであって、前記サービスサイトと交信可能なサービス提供マシンを備え、前記サービス提供マシンに貼付した前記無線タグに前記公衆無線通信端末の無線タグ読み取り口をかざしたときに送出される前記無線タグの送出データに前記サービス提供マシンに固有のマシンアドレス情報を含め、前記送出データから特定する前記サービスサイトが前記マシンアドレス情報から特定する前記サービス提供マシンと交信することによって特定のサービス内容に対応する動作を前記サービス提供マシンに指令する手段を備えたサービス起動システム。
【請求項１５】
　請求項１４に記載のサービス起動システムであって、前記サービス提供マシンに貼付した前記無線タグの送出データに対応するサービス内容の起動によって書き換えを行う利用状態記憶部を前記サービスサイトの中に設け、前記利用状態記憶部のデータと前記無線タグの送出データとからサービスの利用開始の起動と利用完了の起動とを識別する開始完了識別手段と、前記開始完了識別手段と、時計機構による時刻データとによって利用開始時刻と利用完了時刻を決定し、前記利用開始時刻と利用完了時刻とから前記サービス提供マシンを通して供与されるサービスの利用時間を算出する利用時間算出手段と、前記利用時間算出手段を通して算出する利用時間から所定の利用料金を算出する料金算出手段とを備え、前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記サービスサイトに設けられ、前記無線タグの送出データから特定するサービスサイトに於いて特定するサービス内容の中で前記時計機構によってサービスの開始、または、終了と定める時刻データを記録する手段を構成するものであることを特徴とするサービス起動システム。
【請求項１６】
　請求項１４に記載のサービス起動システムであって、前記サービス提供マシンにサービス開始用無線タグとサービス完了用無線タグを貼付し、前記無線タグの送出データの違いと、時計機構による時刻データとによって利用開始時刻と利用完了時刻を決定し、前記利用開始時刻と利用完了時刻とから前記サービス提供マシンを通して供与されるサービスの利用時間を算出する利用時間算出手段と、前記利用時間算出手段を通して算出する利用時間から所定の利用料金を算出する料金算出手段とを備え、前記時計機構は、公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または、前記時計機構は、サービスサイトに設けられ、前記無線タグの送出データから特定するサービスサイトに於いて特定するサービス内容の中で前記時計機構によってサービスの開始、または、終了と定める時刻データを記録する手段を構成するものであることを特徴とするサービス起動システム。
【請求項１７】
　請求項１４に記載のサービス起動システムであって、一つの利用時間内に繰り返しサービスを提供するサービス提供マシンに貼付した前記無線タグの送出データによるサービス内容の最初の起動と時計機構による時刻データとから決定する利用開始時刻と、前記公衆無線通信端末の入力部から入力するサービス提供マシンの解放指令と前記時計機構による時刻データとから決定する利用完了時刻とから、前記サービス提供マシンを通して供与されるサービスの利用時間を算出する利用時間算出手段と、前記利用時間算出手段を通して算出する利用時間から所定の利用料金を算出する料金算出手段とを備え、前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記時計機構はサービスサイトに設けられ、前記無線タグの送出データから特定するサービスサイトに於いて特定するサービス内容の中で、当該時計機構によってサービスの開始、または、終了と定める時刻データを記録する手段を構成するものであることを特徴とするサービス起動システム。
【請求項１８】
　請求項１４に記載のサービス起動システムであって、
利用料金算出手段によって算出する利用料金の内一定金額を割引する料金サービスを起動する無線タグを設け、
　前記料金算出手段は、利用時間算出手段を通して算出する利用時間から所定の利用料金を算出し、
　前記利用時間算出手段は、開始完了識別手段と、時計機構による時刻データとによって利用開始時刻と利用完了時刻を決定し、前記利用開始時刻と利用完了時刻とから前記サービス提供マシンを通して供与されるサービスの利用時間を算出し、前記開始完了識別手段は、前記サービス提供マシンに貼付した前記無線タグの送出データに対応するサービス内容の起動によって書き換えを行う利用状態記憶部が前記サービスサイトの中に設けられ、前記利用状態記憶部のデータと前記無線タグの送出データとからサービスの利用開始の起動と利用完了の起動とを識別するか、または、前記利用時間算出手段は、前記サービス提供マシンにサービス開始用無線タグとサービス完了用無線タグを貼付し、前記無線タグの送出データの違いと、時計機構による時刻データとによって利用開始時刻と利用完了時刻を決定し、前記利用開始時刻と利用完了時刻とから前記サービス提供マシンを通して供与されるサービスの利用時間を算出するか、または、前記利用時間算出手段は、一つの利用時間内に繰り返しサービスを提供するサービス提供マシンに貼付した前記無線タグの送出データによるサービス内容の最初の起動と時計機構による時刻データとから決定する利用開始時刻と、前記公衆無線通信端末の入力部から入力するサービス提供マシンの解放指令と前記時計機構による時刻データとから決定する利用完了時刻とから、前記サービス提供マシンを通して供与されるサービスの利用時間を算出することのいずれかを行い、
　前記前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記時計機構はサービスサイトに設けられ、前記無線タグの送出データから特定するサービスサイトに於いて特定するサービス内容の中で、当該時計機構によってサービスの開始、または、終了と定める時刻データを記録する手段を構成するものであることを特徴とするサービス起動システム。
【請求項１９】
　請求項１４に記載のサービス起動システムであって、前記サービス提供マシンを錠付き戸棚とし、前記錠付き戸棚の格納庫ごとに貼付した前記無線タグに前記公衆無線通信端末の無線タグ読み取り口をかざしたときに送出される前記無線タグの送出データに前記サービス提供マシンに固有のマシンアドレス情報として前記錠付き戸棚ごと格納庫ごとに固有のロッカーアドレス情報を含め、前記送出データから特定する前記サービスサイトに於いてロッカーアドレス情報から特定する前記錠付き戸棚の特定する格納庫に対して解錠、並びに、施錠を指令する手段を備えたサービス起動システム。
【請求項２０】
　請求項１９に記載のサービス起動システムであって、前記錠付き戸棚の格納庫の扉を閉じた時に自動的に施錠を行う施錠手段と、前記施錠手段によって施錠後の錠付き戸棚を引き続き利用するか解放するか否かの意思を前記錠付き戸棚の利用者に確認する意思確認手段と、前記意思確認手段を通して利用者の解放の意思が確認された時に前記錠付き戸棚を利用から解放する利用解放手段とを備えたサービス起動システム。
【請求項２１】
　請求項２０に記載のサービス起動システムであって、前記錠付き戸棚の格納庫ごとに利用料金を算出する料金算出手段を備え、前記料金算出手段は、利用時間算出手段を通して算出する利用時間から所定の利用料金を算出し、前記利用時間算出手段は、一つの利用時間内に繰り返しサービスを提供するサービス提供マシンに貼付した前記無線タグの送出データによるサービス内容の最初の起動と時計機構による時刻データとから決定する利用開始時刻と、前記公衆無線通信端末の入力部から入力するサービス提供マシンの解放指令と前記時計機構による時刻データとから決定する利用完了時刻とから、前記サービス提供マシンを通して供与されるサービスの利用時間を算出し、
　前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記時計機構はサービスサイトに設けられ、前記無線タグの送出データから特定するサービスサイトに於いて特定するサービス内容の中で、当該時計機構によってサービスの開始、または、終了と定める時刻データを記録する手段を構成するものであることを特徴とするサービス起動システム。
【請求項２２】
　請求項１９に記載のサービス起動システムであって、前記錠付き戸棚の運用・管理を行う前記サービスサイトと前記公衆無線通信端末との間で交信を行う利用者通信手段と、錠付き戸棚ごと格納庫ごとに解錠を行う利用者の必要条件を記憶する解錠条件記憶部を前記サービスサイトに設け、前記利用者通信手段を通して前記解錠条件記憶部に記憶されたデータを満たす利用者が新たに解錠を行うべき者と認定し、かつ自らも認めた利用者を対象として前記解錠条件記憶部を書き換える解錠者設定手段とを備えたサービス起動システム。
【請求項２３】
　請求項１乃至３の内のいずれか一つに記載のサービス起動システムであって、展示している現物もしくは現物の対応する場所に貼付した前記無線タグに前記公衆無線通信端末の無線タグ読み取り口をかざしたときに送出される前記無線タグの送出データに前記展示中の現物もしくは現物の対応する場所に固有の展示アドレス情報を含め、前記送出データから特定するサービスサイトに於いて前記展示アドレス情報から特定する前記現物と同等の物を収集する収集手段と、前記収集手段によって収集した物を錠付き戸棚へ格納保管する格納保管手段と、前記格納保管手段を通して格納保管した収集物を前記公衆無線通信端末の所有者へ受け渡す手段とを備え、前記錠付き戸棚は、サービス提供マシンからなり、
　前記サービス起動システムは、前記錠付き戸棚の格納庫ごとに貼付した前記無線タグに前記公衆無線通信端末の無線タグ読み取り口をかざしたときに送出される前記無線タグの送出データに前記サービス提供マシンに固有のマシンアドレス情報として前記錠付き戸棚ごと格納庫ごとに固有のロッカーアドレス情報を含め、前記送出データから特定する前記サービスサイトに於いてロッカーアドレス情報から特定する前記錠付き戸棚の特定する格納庫に対して解錠、並びに、施錠を指令する手段を備えていることを特徴とするサービス起動システム。
【請求項２４】
　請求項２３に記載のサービス起動システムであって、前記展示している現物を商店で販売中の商品としたサービス起動システム。
【請求項２５】
　請求項２３に記載のサービス起動システムであって、前記展示している現物を展示会場の中で配布しているカタログその他資料としたサービス起動システム。
【請求項２６】
　請求項１４に記載のサービス起動システムであって、前記サービス提供マシンを自動販売機とし、前記自動販売機の展示商品の対応する場所ごとに貼付した無線タグに前記公衆無線通信端末の無線タグ読み取り口をかざしたときに送出される前記無線タグの送出データに前記マシンアドレス情報として前記自動販売機ごと展示商品ごとに固有の商品アドレス情報を含め、前記送出データから特定するサービスサイトにおいて前記商品アドレス情報から特定する前記自動販売機の特定する商品を前記自動販売機の取り出し口へ排出する指令の起動を可能ならしめるサービス起動システム。
【請求項２７】
　請求項１４に記載のサービス起動システムであって、前記サービス提供マシンを駐車場のゲートを制御する制御ボックスとし、前記制御ボックスに貼付した前記無線タグに前記公衆無線通信端末の無線タグ読み取り口をかざしたときに前記サービスサイトにおいて駐車場のゲートを開く指令の起動を可能ならしめるサービス起動システム。
【請求項２８】
　請求項２７に記載のサービス起動システムであって、駐車場へ入る側に設置された制御ボックスに貼付した無線タグの送出データと時計機構による時刻データとによって利用開始時刻を決定し、駐車場を出る側に設置された制御ボックスに貼付した無線タグの送出データと前記時計機構による時刻データとによって利用完了時刻を決定し、前記利用開始時刻と利用完了時刻とから前記駐車場の利用時間を算出する利用時間算出手段と、前記利用時間算出手段を通して算出する利用時間から前記駐車場の利用料金を算出する料金算出手段とを備え、
　前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記時計機構はサービスサイトに設けられ、前記無線タグの送出データから特定するサービスサイトに於いて特定するサービス内容の中で、当該時計機構によってサービスの開始、または、終了と定める時刻データを記録する手段を構成するものであることを特徴とするサービス起動システム。
【請求項２９】
　請求項１４に記載のサービス起動システムであって、前記サービス提供マシンを自動改札機とし、前記自動改札機ごとに貼付した無線タグに前記公衆無線通信端末の無線タグ読み取り口をかざしたときに送出される無線タグの送出データに前記サービス提供マシンに固有のマシンアドレス情報として前記自動改札機ごと改札口ごとに固有の改札口アドレス情報を含め、前記送出データから特定するサービスサイトにおいて前記公衆無線通信端末の所有者が前記改札口アドレス情報から特定する自動改札機の特定する改札口を通過する条件を有するか否かを確認する条件確認手段を設け、前記条件確認手段によって前記公衆無線通信端末の所有者が前記自動改札機の改札口を通過する条件を有することが確認されたならば前記改札口のゲートを開ける指令の起動を可能ならしめるサービス起動システム。
【請求項３０】
　請求項１４に記載のサービス起動システムであって、前記サービス提供マシンを錠管理を遠隔から行う錠付き入退室口とし、前記錠付き入退室口ごとに貼付した前記無線タグに前記公衆無線通信端末の無線タグ読み取り口をかざしたときに送出される無線タグの送出データに前記サービス提供マシンに固有のマシンアドレス情報として前記錠付き入退室口を特定する入退室口アドレス情報を含め、前記送出データから特定するサービスサイトにおいて前記公衆無線通信端末の所有者が前記入退室口アドレス情報から特定する前記錠付き入退室口を通過する条件を有するか否かを確認する条件確認手段を設け、前記条件確認手段によって前記公衆無線通信端末の所有者が前記錠付き入退室口を通過する条件を有することが確認されたならば前記錠付き入退室口の錠を開ける指令の起動を可能ならしめるサービス起動システム。
【請求項３１】
　請求項１乃至３の内のいずれか一つに記載のサービス起動システムであって、出勤用として用意した無線タグの送出データと、時計機構による時刻データから出勤時刻を決定し、退勤用として用意した無線タグの送出データと、前記時計機構による時刻データから退勤時刻を決定し、前記出勤時刻と前記退勤時刻を記録するサービスの起動を可能ならしめものであり、
　前記時計機構は、前記公衆無線通信端末の無線タグ読み取り口に設けられ、当該時計機構によって前記無線タグに対して前記公衆無線通信端末の無線タグ読み取り口をかざし前記無線タグの送出データを読み取ったときの時刻データを前記サービスサイトに送信可能ならしめるものであるか、または前記時計機構はサービスサイトに設けられ、前記無線タグの送出データから特定するサービスサイトに於いて特定するサービス内容の中で、当該時計機構によってサービスの開始、または、終了と定める時刻データを記録する手段を構成するものであることを特徴とするサービス起動システム。
【発明の詳細な説明】
【技術分野】
【０００１】
　本発明は、公衆無線通信端末と無線タグを用いてサービスを受けるためのサービス起動システムに関する。
【背景技術】
【０００２】
　従来、この種の技術としては、特許文献１〜３に記載されたものがある。
【０００３】
　まず、特許文献１においては、店舗等において顧客の商品に関する質問等に対して即座に対応できる情報システムの提供のために、店舗の売場にそれぞれ設置された無線局と情報を送受信可能な携帯端末を店員が所持し、例えば売場に陳列された商品の情報を無線局から自動的に受信し、各商品には無線タグが取り付けられ、無線タグが発信するＩＤ値を無線局を経由してサーバに送信し、サーバはこのＩＤ値を基に商品情報を生成し無線局を経由して携帯端末に送信し、顧客からの問合せにも即座に対応できる。携帯端末は傾き操作等片手操作ができる操作手段と、操作手段に適した情報表示手段を備える構成である。
【０００４】
　また、特許文献２においては、複数の通常仕様の端末（パソコン）が配置される室内またはフィールド環境において、ユーザが携帯する無線タグとの交信により、接近した端末の起動およびユーザ認証を自動的に行い、ユーザに応じた作業環境を提供するシステムの提供のために、室内またはフィールドに配置した１台以上のユーザ端末と、各ユーザ端末とネットワークを介して接続されるユーザ管理サーバとの間で、ユーザ端末を利用するユーザの認証を行うユーザ認証方法において、各ユーザ端末の近傍に配置された通信装置が、ユーザの携帯する無線タグとの交信によりユーザの識別データを受信し、通信装置から識別データをネットワークを介してユーザ管理サーバに転送し、ユーザ管理サーバが転送された識別データの認証を行い、その識別データを受信した通信装置の近傍のユーザ端末の電源をオンとする起動制御を行う構成である。
【０００５】
　また、特許文献３においては、スーパーマーケット、百貨店、パソコンショップなどの各種大規模店舗における商品や家具等の大型商品の売買において顧客や販売者にとって、利便性の高いサービスを提供するために、商品に添付された情報を入力する手段と、その入力情報に顧客の情報を付加する手段と、それらの情報を伝送する無線通信手段とを有して前記顧客が購入に関する情報の授受を行う通信機と、前記通信機より伝送された前記情報を受信する手段と、受信した前記情報を顧客ごとに管理するデータベースと、顧客が商品を購入したときにこの商品の配送を連絡する手段とを有する商品販売者により用意されたサーバとを備え、顧客が商品を購入するときの利便性を向上させるように支援する構成である。
【０００６】
　従来の携帯電話、携帯情報端末のような公衆無線通信端末を用いてネットワークを通してサービスサイトから利用者がサービスの提供を受けるためには、サービスサイトと交信するための操作が多く、システムを日常の感覚で気楽に利用するには煩わしかった。
【０００７】
　したがって、携帯電話、携帯情報端末のような公衆無線通信端末を用いてネットワークを通してサービスサイトから利用者がサービスの提供を受けるシステムでは、利用者が行う公衆無線通信端末の操作を簡素化し、サービスサイトをより日常的な感覚で利用可能にする手段が求められていた。
【０００８】
　従来の技術の特許文献１においては、店舗の売場に存在する商品の情報をサーバが無線局を経由して商品に取り付けられた無線タグから受信し、サーバは受信した商品の情報を基に商品情報を生成し無線局を経由して携帯端末に送信するものである。しかしながら、携帯端末を利用する店員がサーバへ商品情報の提供サービスを要求するため、どの商品の商品情報を携帯端末で受信すべきかを特定するために無線タグが使われる仕組みは含まれていない。
【０００９】
　また、従来の技術の特許文献２においては、フィールドに配置された端末がユーザが携帯する無線タグと交信し、接近した端末の起動およびユーザ認証を自動的に行い、ユーザーに応じた作業環境を提供するシステムである。無線タグには公衆無線通信端末がどのサービスサイトへアクセスするかの情報やどのサービス内容を起動するかの情報は含まれておらず、利用者が行う公衆無線通信端末の操作を簡素化するものではない。
【００１０】
　また、従来の技術の特許文献３は、店舗に置かれた商品の情報を無線タグを用いて無線通信機へ入力し、商品に関する在庫情報、配送可能時刻情報などを無線通信機へ表示させるものである。しかしながら、商品の情報は商品管理上添付されているバーコード情報もしくは無線タグの情報を利用しているため、公衆無線通信端末がどのサービスサイトへアクセスするかの情報や、どのサービスを要求するかの情報は含まれておらず、利用の範囲は特定の店舗内に留まり何時でも何処でも利用でき得るものではなかった。
【特許文献１】特開２００１−１４７７７０号公報
【特許文献２】特開２００２−１５７０４０号公報
【特許文献３】特開２００２−２０８０７２号公報
【発明の開示】
【発明が解決しようとする課題】
【００１１】
　本発明の第１の技術的課題は、無線タグと無線タグの読み取り口を備えた公衆無線通信端末を使用し、公衆無線通信端末の無線タグ読み取り口を無線タグにかざしたときに無線タグから送出されるデータによって公衆無線通信端末の煩わしい入力操作を簡素化し、日常の感覚で利用可能なシステムを提供することにある。
【００１２】
　また、本発明の第２の技術的課題は、公衆無線通信端末に備えた無線タグの読み取り口を無線タグにかざしたときに無線タグが送出するデータにサービスサイトを特定する情報と、特定されたサービスサイトで処理すべきサービス内容を特定する情報を含ませることによって何時でも何処でも利用可能な汎用のプラットフォームを提供することにある。
【００１３】
　また、本発明の第３の技術的課題は、前記の汎用のプラットフォームにサービスサイトと交信可能な、錠付き戸棚、駐車場のゲート制御ボックス、自動改札機などサービス内容別のマンマシンインタフェースを備えるサービス提供マシンを加えることによって、物の受け渡しのサービス、車の駐車サービス、自動改札サービスなどの多岐に渡るサービス内容をネットワーク上で煩わしい操作なしに利用可能にすることによって利用範囲を拡張することにある。
【００１４】
　また、本発明の第４の技術的課題は、前記のシステムを通して、例えば、錠付き戸棚の一つの利用時間内に於ける複数回の施錠解錠操作や利用時間単位の課金など従来のサービスを受けるための操作の簡易化と共に、サービス内容の高度化をはかることにある。
【００１５】
また、本発明の第５の技術的課題は、前記のシステムを通して、例えば、従来個別に行われていた商品購入サービスから錠付き戸棚による商品受け渡しサービスまでを無線タグを使う一貫した簡易な操作で受けられるようにするなど、従来にない新しい仕組み（業態）を提案することによって、サービスを提供する側と利用する側の双方の利便性を向上させることにある。
【課題を解決するための手段】
【００１６】
　（１）本発明のサービス起動システムは、無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記サービスサイトのアドレスを特定する情報と、前記アドレスのサービスサイトに於いて処理すべきサービス内容を特定する情報とを含め、前記公衆無線通信端末の無線タグ読み取り口で読み取った無線タグの送出データのアドレス情報からサービスサイトを特定するアドレス特定手段と、前記アドレス特定手段によって特定するサービスサイトに於いて処理すべきサービス内容を特定する情報からサービス内容を特定するサービス内容特定手段と、前記サービス内容特定手段によって特定するサービス内容を起動するサービス起動手段とを備えていることを特徴とする。
【００１７】
　（２）本発明のサービス起動システムは、無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記無線タグの自己を特定する固有のＩＤデータを含め、前記ＩＤデータを通してサービスサイトのアドレスを特定するデータと、前記アドレスのサービスサイトに於いて処理すべきサービス内容を特定するデータとが索引可能なサービス特定データベースを設け、前記公衆無線通信端末の無線タグ読み取り口で読み取った前記無線タグの送出データに含まれるＩＤデータから前記サービス特定データベースを索引することにより特定されるサービスサイトに於いて特定されるサービス内容を起動可能ならしめる。
【００１８】
　（３）本発明のサービス起動システムは、無線タグと前記無線タグの読み取り口を備えた公衆無線通信端末と前記公衆無線通信端末と交信可能なサービスサイトから構成され、前記無線タグに対して前記公衆無線通信端末の無線タグ読み取り口をかざしたときに前記無線タグが送出するデータに前記サービスサイトのアドレスを特定するアドレス情報と、前記アドレス情報からアドレス特定手段を通して特定するサービスサイトの中で自己を特定する固有のＩＤデータとを含め、前記アドレス情報からアドレス特定手段を通して特定するサービスサイトに於いて前記ＩＤデータから処理すべきサービス内容を特定するデータを索引可能なサービス内容特定データベースを設け、前記公衆無線通信端末の無線タグ読み取り口で読み取った前記無線タグの送出データのアドレス情報から特定するサービスサイトの中で前記サービス内容特定データベースを索引することにより特定されるサービス内容を起動可能ならしめるように構成したことを特徴とする。
【００１９】
　（４）本発明のサービス起動システムは、前記（１）乃至（３）項の内のいずれか一つのサービス起動システムであって、前記公衆無線通信端末の読み取り口に時計機構を設け、前記時計機構によって前記無線タグに対して前記公衆無線通信端末の無線タグ読み取り口をかざし前記無線タグの送出データを読み取ったときの時刻データを前記サービスサイトに送信可能ならしめるように構成したことを特徴とする。
【００２０】
　（５）本発明のサービス起動システムは、前記（１）乃至（３）項の内のいずれか一つのサービス起動システムであって、前記サービスサイトに時計機構を設け、前記無線タグの送出データから特定するサービスサイトに於いて特定するサービス内容の中で前記時計機構によってサービスの開始、または、終了と定める時刻データを記録する手段を備えていることを特徴とする。
【００２１】
　（６）本発明のサービス起動システムは、前記（４）又は（５）項のサービス起動システムであって、電波時計の基準信号である長波標準電波に同期する標準時刻発生手段を設け、前記標準時刻発生手段を通して前記時計機構の精度維持を可能ならしめるように構成したことを特徴とする。
【００２２】
　（７）本発明のサービス起動システムは、前記（１）乃至（３）項の内のいずれか一つのサービス起動システムであって、前記無線タグに前記公衆無線通信端末の無線タグ読み取り口をかざし前記無線タグの送出データを正しく読み取ったときに前記送出データの正常読み取り完を明示する手段を前記公衆無線通信端末に設けていることを特徴とする。
【００２３】
　（８）本発明のサービス起動システムは、前記（７）項のサービス起動システムであって、前記公衆無線通信端末にクリック音を発生させる擬音発生手段を設け、前記無線タグの送出データの正常読み取りを前記公衆無線通信端末が完了した時に前記擬音発生手段によってクリック音を発生させることを可能ならしめるように構成したことを特徴とする。
【００２４】
　（９）本発明のサービス起動システムは、前記（１）乃至（３）項の内のいずれか一つのサービス起動システムであって、前記サービスサイトに於いて起動するサービス内容に関するデータ、サービスを起動した時刻、並びに前記公衆無線通信端末の所有者に関するデータを集計し分析する手段を備えていることを特長とする。
【００２５】
　（１０）本発明のサービス起動システムは、前記（１）乃至（３）項の内のいずれか一つのサービス起動システムであって、商品広告その他情報提供媒体に貼付した前記無線タグに前記公衆無線通信端末の無線タグ読み取り口をかざしたときに前記サービスサイトから前記公衆無線通信端末に対して前記商品広告その他情報提供媒体が提供する内容に関連する商品の販売、予約並びに関連する詳細情報などの提供に係わるサービス内容の起動を可能ならしめることを特徴としている。
【００２６】
　（１１）本発明のサービス起動システムは、前記（１０）項のサービス起動システムであって、時間の経過と共に提供する内容を変える前記商品広告その他情報提供媒体の提供内容ごとの対応する場所に固有の前記無線タグを貼付し、前記商品広告その他情報提供媒体の提供内容の中で対応する前記無線タグの貼付場所を明示可能ならしめるように構成したことを特徴とする。
【００２７】
　（１２）本発明のサービス起動システムは、前記（１０）項のサービス起動システムであって、時間の経過と共に提供する内容を変える前記商品広告その他情報提供媒体に貼付する前記無線タグの送出データと前記公衆無線通信端末の無線タグ読み取り口で読み取ったときの前記（４）項又は前記（５）項に記載の時計機構による時刻データとを、前記サービスサイトが合わせて、前記商品広告その他情報提供媒体の提供内容を特定可能ならしめることを特徴としている。
【００２８】
　（１３）本発明のサービス起動システムは、前記（１０）項のサービス起動システムであって、商品広告その他情報提供媒体に貼付した前記無線タグに前記公衆無線通信端末の読み取り口をかざしたとき特定する前記サービスサイトを携帯電話向けに設置されたホームページとして、前記ホームページから提供されかつ前記公衆無線通信端末を通して受け取り可能なサービス内容の起動を可能ならしめるように構成したことを特徴とする。
【００２９】
　（１４）本発明のサービス起動システムは、前記（１）乃至（３）項の内のいずれか一つのサービス起動システムであって、前記サービスサイトと交信可能なサービス提供マシンを備え、前記サービス提供マシンに貼付した前記無線タグに前記公衆無線通信端末の無線タグ読み取り口をかざしたときに送出される前記無線タグの送出データに前記サービス提供マシンに固有のマシンアドレス情報を含め、前記送出データから特定する前記サービスサイトが前記マシンアドレス情報から特定する前記サービス提供マシンと交信することによって特定のサービス内容に対応する動作を前記サービス提供マシンに指令する手段を備えていることを特徴としている。
【００３０】
　（１５）本発明のサービス起動システムは、前記（１４）項のサービス起動システムであって、前記サービス提供マシンに貼付した前記無線タグの送出データに対応するサービス内容の起動によって書き換えを行う利用状態記憶部を前記サービスサイトの中に設け、前記利用状態記憶部のデータと前記無線タグの送出データとからサービスの利用開始の起動と利用完了の起動とを識別する開始完了識別手段と、前記開始完了識別手段と前記（４）項もしくは前記（５）項の時計機構による時刻データとによって利用開始時刻と利用完了時刻を決定し、前記利用開始時刻と利用完了時刻とから前記サービス提供マシンを通して供与されるサービスの利用時間を算出する利用時間算出手段と、前記利用時間算出手段を通して算出する利用時間から所定の利用料金を算出する料金算出手段とを備えていることを特徴とする。
【００３１】
　（１６）本発明のサービス起動システムは、前記（１４）項のサービス起動システムであって、前記サービス提供マシンにサービス開始用無線タグとサービス完了用無線タグを貼付し、前記無線タグの送出データの違いと前記（４）項もしくは前記（５）項の時計機構による時刻データとによって利用開始時刻と利用完了時刻を決定し、前記利用開始時刻と利用完了時刻とから前記サービス提供マシンを通して供与されるサービスの利用時間を算出する利用時間算出手段と、前記利用時間算出手段を通して算出する利用時間から所定の利用料金を算出する料金算出手段とを備えていることを特徴とする。
【００３２】
　（１７）本発明のサービス起動システムは、前記（１４）項のサービス起動システムであって、一つの利用時間内に繰り返しサービスを提供するサービス提供マシンに貼付した前記無線タグの送出データによるサービス内容の最初の起動と前記（４）項もしくは前記（５）項の時計機構による時刻データとから決定する利用開始時刻と、前記公衆無線通信端末の入力部から入力するサービス提供マシンの解放指令と前記（４）項もしくは前記（５）項の時計機構による時刻データとから決定する利用完了時刻とから、前記サービス提供マシンを通して供与されるサービスの利用時間を算出する利用時間算出手段と、前記利用時間算出手段を通して算出する利用時間から所定の利用料金を算出する料金算出手段とを備えていることを特徴としている。
【００３３】
　（１８）また、本発明のサービス起動システムは、前記（１４）項のサービス起動システムであって、前記（１５）乃至（１７）項の内のいずれか一つの利用料金算出手段によって算出する利用料金の内一定金額を割引する料金サービスを起動する無線タグを設けたことを特徴とする。
【００３４】
　（１９）本発明のサービス起動システムは、前記（１４）項のサービス起動システムであって、前記サービス提供マシンを錠付き戸棚とし、前記錠付き戸棚の格納庫ごとに貼付した前記無線タグに前記公衆無線通信端末の無線タグ読み取り口をかざしたときに送出される前記無線タグの送出データに前記サービス提供マシンに固有のマシンアドレス情報として前記錠付き戸棚ごと格納庫ごとに固有のロッカーアドレス情報を含め、前記送出データから特定する前記サービスサイトに於いてロッカーアドレス情報から特定する前記錠付き戸棚の特定する格納庫に対して解錠、並びに、施錠を指令する手段を備えていることを特徴とする。
【００３５】
　（２０）本発明のサービス起動システムは、前記（１９）項のサービス起動システムであって、前記錠付き戸棚の格納庫の扉を閉じた時に自動的に施錠を行う施錠手段と、前記施錠手段によって施錠後の錠付き戸棚を引き続き利用するか解放するか否かの意思を前記錠付き戸棚の利用者に確認する意思確認手段と、前記意思確認手段を通して利用者の解放の意思が確認された時に前記錠付き戸棚を利用から解放する利用解放手段とを備えていることを特徴とする。
【００３６】
　（２１）本発明のサービス起動システムは、前記（２０）項のサービス起動システムであって、前記錠付き戸棚の格納庫ごとに利用料金を算出する前記（１７）項の料金算出手段を備えていることを特徴とする。
【００３７】
　（２２）本発明のサービス起動システムは、前記（１９）項のサービス起動システムであって、前記錠付き戸棚の運用・管理を行う前記サービスサイトと前記公衆無線通信端末との間で交信を行う利用者通信手段と、錠付き戸棚ごと格納庫ごとに解錠を行う利用者の必要条件を記憶する解錠条件記憶部を前記サービスサイトに設け、前記利用者通信手段を通して前記解錠条件記憶部に記憶されたデータを満たす利用者が新たに解錠を行うべき者と認定し、かつ自らも認めた利用者を対象として前記解錠条件記憶部を書き換える解錠者設定手段とを備えていることを特徴とする。
【００３８】
　（２３）本発明のサービス起動システムは、前記（１）乃至（３）項の内のいずれか一つのサービス起動システムであって、展示している現物もしくは現物の対応する場所に貼付した前記無線タグに前記公衆無線通信端末の無線タグ読み取り口をかざしたときに送出される前記無線タグの送出データに前記展示中の現物もしくは現物の対応する場所に固有の展示アドレス情報を含め、前記送出データから特定するサービスサイトに於いて前記展示アドレス情報から特定する前記現物と同等の物を収集する収集手段と、前記収集手段によって収集した物を請求項１９に記載の錠付き戸棚へ格納保管する格納保管手段と、前記格納保管手段を通して格納保管した収集物を前記公衆無線通信端末の所有者へ受け渡す手段とを備えていることを特徴とする。
【００３９】
　（２４）本発明のサービス起動システムは、前記（２３）項のサービス起動システムであって、前記展示している現物を商店で販売中の商品とすることを特徴とする。
【００４０】
　（２５）本発明のサービス起動システムは、前記（２３）項のサービス起動システムであって、前記展示している現物を展示会場の中で配布しているカタログその他資料とすることを特徴とする。
【００４１】
　（２６）本発明のサービス起動システムは、前記（１４）項のサービス起動システムであって、前記サービス提供マシンを自動販売機とし、前記自動販売機の展示商品の対応する場所ごとに貼付した無線タグに前記公衆無線通信端末の無線タグ読み取り口をかざしたときに送出される前記無線タグの送出データに前記マシンアドレス情報として前記自動販売機ごと展示商品ごとに固有の商品アドレス情報を含め、前記送出データから特定するサービスサイトにおいて前記商品アドレス情報から特定する前記自動販売機の特定する商品を前記自動販売機の取り出し口へ排出する指令の起動を可能ならしめるように構成したことを特徴とする。
【００４２】
　（２７）本発明のサービス起動システムは、前記（１４）項のサービス起動システムであって、前記サービス提供マシンを駐車場のゲートを制御する制御ボックスとし、前記制御ボックスに貼付した前記無線タグに前記公衆無線通信端末の無線タグ読み取り口をかざしたときに前記サービスサイトにおいて駐車場のゲートを開く指令の起動を可能ならしめるように構成したことを特徴とする。
【００４３】
　（２８）本発明のサービス起動システムは、前記（２７）項のサービス起動システムであって、駐車場へ入る側に設置された制御ボックスに貼付した無線タグの送出データと請求項４もしくは請求項５に記載の時計機構による時刻データとによって利用開始時刻を決定し、駐車場を出る側に設置された制御ボックスに貼付した無線タグの送出データと前記（４）項もしくは前記（５）項の時計機構による時刻データとによって利用完了時刻を決定し、前記利用開始時刻と利用完了時刻とから前記駐車場の利用時間を算出する利用時間算出手段と、前記利用時間算出手段を通して算出する利用時間から前記駐車場の利用料金を算出する料金算出手段とを備えていることを特徴とする。
【００４４】
　（２９）本発明のサービス起動システムは、前記（１４）項のサービス起動システムであって、自動改札機ごとに貼付した無線タグに前記公衆無線通信端末の無線タグ読み取り口をかざしたときに送出される無線タグの送出データに改札口アドレス情報を含め、前記送出データから特定するサービスサイトにおいて前記公衆無線通信端末の所有者が前記改札口アドレス情報から特定する改札口を通過する条件を有するか否かを確認する条件確認手段を設け、前記条件確認手段によって前記公衆無線通信端末の所有者が前記改札口を通過する条件を有することが確認されたならば前記改札口のゲートを開ける指令の起動を可能ならしめるように構成したことを特徴とする。
【００４５】
　（３０）本発明のサービス起動システムは、前記（１４）項のサービス起動システムであって、前記サービス提供マシンを錠管理を遠隔から行う錠付き入退室口とし、前記錠付き入退室口ごとに貼付した前記無線タグに前記公衆無線通信端末の無線タグ読み取り口をかざしたときに送出される無線タグの送出データに前記サービス提供マシンに固有のマシンアドレス情報として前記錠付き入退室口を特定する入退室口アドレス情報を含め、前記送出データから特定するサービスサイトにおいて前記公衆無線通信端末の所有者が前記入退室口アドレス情報から特定する前記錠付き入退室口を通過する条件を有するか否かを確認する条件確認手段を設け、前記条件確認手段によって前記公衆無線通信端末の所有者が前記錠付き入退室口を通過する条件を有することが確認されたならば前記錠付き入退室口の錠を開ける指令の起動を可能ならしめるように構成したことを特徴とする。
【００４６】
　（３１）本発明のサービス起動システムは、前記（１）乃至（３）項の内のいずれか一つのサービス起動システムであって、出勤用として用意した無線タグの送出データと前記（４）項もしくは前記（５）項の時計機構による時刻データから出勤時刻を決定し、退勤用として用意した無線タグの送出データと前記（４）項もしくは前記（５）項の時計機構による時刻データから退勤時刻を決定し、前記出勤時刻と前記退勤時刻を記録するサービスの起動を可能ならしめるように構成したことを特徴とする。
【発明の効果】
【００４７】
　本発明によれば、無線タグと無線タグの読み取り口を備えた公衆無線通信端末を使用し、公衆無線通信端末の無線タグ読み取り口を無線タグにかざしたときに無線タグから送出されるデータによって公衆無線通信端末の煩わしい入力操作を簡素化し、日常の感覚で利用可能なシステムを提供可能になる。
【００４８】
　また、本発明によれば、公衆無線通信端末に備えた無線タグの読み取り口を無線タグにかざしたときに無線タグが送出するデータにサービスサイトを特定する情報と、特定されたサービスサイトでサービス内容を特定する情報を含ませることによって何時でも何処でも利用可能な汎用のプラットフォームを提供可能になる。
【００４９】
　また、本発明によれば、前記の汎用のプラットフォームにサービスサイトと交信可能な、錠付き戸棚、駐車場のゲート制御ボックス、自動改札機などサービス内容別のマンマシンインタフェースを備えるサービス提供マシンを加えることによって、物の受け渡しのサービス、車の駐車サービス、自動改札サービスなどの多岐に渡るサービス内容をネットワーク上で煩わしい操作なしに利用可能にすることによって利用範囲を拡張可能になる。
【００５０】
　また、本発明によれば、前記のシステムを通して、例えば、時間の経過と共に提供する内容を変える商品広告その他情報提供のシステムに、無線タグを組み合わせて使用することにより、簡易な操作だけで、時間の経過と共に変わる提供内容に対して、受け側が商品の購入予約や詳細情報の要求を可能にしたり、また、例えば、商品の購入からロッカーによる受け渡しまでのサービスを無線タグを使う簡易な操作だけで受けられるようにするなど、従来から存在するサービスの仕組みを変えて内容を高度化し、一方では、サービスの利用者の操作は簡素化することによって、サービスを提供する側と利用する側の双方の利便性を飛躍的に向上させることが可能になる。
【００５１】
　また、本発明によれば、前記のシステムを通して、例えば、錠付き戸棚の一つの利用時間内に於ける複数回の施錠解錠操作や利用時間単位の課金など従来のサービスを受けるための操作の簡易化と共に、サービス内容利用の高度化をはかることが可能になる。
【００５２】
　また、本発明によれば、前記のシステムを通して、例えば、従来個別に行われていた商品購入サービスから錠付き戸棚による商品受け渡しサービスまでを無線タグを使う一貫した簡易な操作で受けられるようにするなど、従来にない新しい仕組み（業態）を提案することによって、サービスを提供する側と利用する側の双方の利便性を向上させることが可能になる。
【発明を実施するための最良の形態】
【００５３】
　以下、本発明を実施するための最良の形態について図面を参照し説明する。
【００５４】
　図１は本発明の第１の実施の形態を説明するシステムの構成例を示すブロック図である。また、図２は公衆無線通信端末３０の構成例を示すブロック図である、また、図３は無線タグ２０と公衆無線通信端末３０の中の無線タグ読み取り口３８の部分の構成例を示すブロック図である。また、図４はシステムの動作の流れを例示するフローチャートである。
【００５５】
　図１を参照すると、本発明によるサービス起動システム１００は、無線タグ＃１〜ｍ（以下、これらをまとめて符号１０１で示す）、公衆無線通信端末１０２、サービスサイト＃１〜ｎ（以下、これらをまとめて符号１０１で示す）、および、公衆無線通信１を含む公衆網２から構成される。公衆無線通信端末１０２は無線タグ１０１から無線でデータを読み取る。また、公衆無線通信端末１０２とサービスサイト１０４は公衆無線通信を含む公衆網を通してインターネットを含む非音声系の交信を行う。前記の公衆無線通信は携帯電話、ＰＨＳ等の通信を使用できる。
【００５６】
　図３を参照すると、無線タグ１０１は、電源生成部１１、プロセッサ１２、メモリ１３、および、アンテナ１４から構成される。メモリ１３には本発明によるサービス起動システム１００の構築時に、公衆無線通信端末１０２へ送出するデータと、無線タグ１０１が公衆無線通信端末１０２の一部を構成する無線タグ読み取り口２８と交信しメモリ１３から前記データを読み出し無線タグ読み取り口２８へ送出するためのプログラムを格納しておく。前記データには、図５に例示するサービスサイト１０４のアドレスを特定する情報３と、前記アドレスのサービスサイト１０４に於いて処理すべきサービス内容を特定する情報４が含まれる。
【００５７】
　図２を参照すると、公衆無線通信端末１０２は、プロセッサ２１、メモリ２２、キーボード２３、ディスプレイ２４、音声入出力／振動機構２５、無線通信送受信部２６、電池２７、および無線タグ読み取り口２８を備えて構成される。
【００５８】
　メモリ２２には、公衆無線通信端末１０２が、無線タグ１０１が送出するデータを無線タグ読み取り口２８を通して読み取るためのプログラム、および、前記データをもとにサービスサイト１０４を特定するアドレス特定手段を構成するプログラム、および、前記データの中のサービスサイトに於いて処理すべきサービス内容を特定する情報を無線通信送受信部２６から公衆無線通信を含む公衆網を通してサービスサイト１０４へ送信するプログラム、および、公衆無線通信端末１０２を公衆無線通信端末として機能させるためのその他のプログラムが格納されている。
【００５９】
　前記のプログラムは、公衆無線通信端末１０２の製造時に組み込むことも、公衆無線通信端末１０２がインターネットで所定のホームページへアクセスし、該ホームページを介して所定のＷＥＢサーバからダウンロードして組み込むことも可能である。
【００６０】
　プロセッサ２１は前記のプログラムを実行する。キーボード２３は手動のデータ入力に使用する。ディスプレイ２４はキーボード２３から入力されたデータの確認用表示や、公衆無線通信端末１０２と無線タグ１０１、または、サービスサイト１０４との交信内容の表示等を行う。音声入出力／振動機構２５は、無線タグ１０１が送出するデータをプロセッサ２１が無線タグ読み取り口２８を通して読み取り完了したときなどの動作の完了を操作者に知らせる音や振動を発生するのに使用される。また、無線通信送受信部２６は無線通信基地局１０３との間で公衆無線通信による交信を行う。
【００６１】
　図３を参照すると、無線タグ読み取り口２８は、読み取り制御部２８ｃ、送受信部２８ｂ、アンテナ２８ａから構成される。読み取り制御部２８ｃは公衆無線通信端末１０２のプロセッサ２１等と接続されている。読み取り制御部２８ｃは公衆無線通信端末１０２のプロセッサ２１からの制御により送受信部２８ｂとアンテナ２８ａを駆動し、無線タグ１０１のアンテナ１４を介して無線タグ１０１に電力を供給し無線タグ１０１と電磁誘導による交信を行う。
【００６２】
　サービスサイト１０４は、公衆無線通信を含む公衆網を通して公衆無線通信端末１０２との間で電子メールなどの非音声系通信が交信可能な情報処理装置である。
【００６３】
　サービスサイト１０４は、公衆無線通信端末１０２から送信されたサービスサイトに於いて処理すべきサービス内容を特定する情報からサービス内容を特定するサービス内容特定手段を構成するプログラム、および、前記サービス内容特定手段によって特定するサービス内容を起動するサービス起動手段を構成するプログラム、および、サービスサイト１０４をサービスサイトとして機能させるその他のプログラムを備えて構成されている。
【００６４】
　次に、動作について説明する。
【００６５】
　図４を参照すると、無線タグ１０１のメモリ１３には、予め、図５に例示するサービスサイト１０４のアドレスを特定する情報３、前記アドレスのサービスサイト１０４において処理すべきサービス内容を特定する情報４、および、無線タグ１０１が公衆無線通信端末１０２の無線タグ読み取り口２８と交信しメモリ１３から前記データを読み出し無線タグ読み取り口２８へ送出するためのプログラムを書き込んでおく（ＳＡ１）。
【００６６】
　前記の無線タグ１０１のメモリ１３へのデータとプログラムの書き込みは、無線タグ１０１の製造時、もしくは、本発明によるサービス起動システムのシステム構築時に行うものであり、本発明によるサービス起動システムの動作の中で行うものではないが、前記データに含める情報を明確にするため、以下の説明では本発明によるサービス起動システムの動作の流れを例示するフローチャートの最初に含めて説明する。
【００６７】
　公衆無線通信端末１０２の無線タグ読み取り口２８を前記データを書き込んだ無線タグ１０１に対してかざす（ＳＡ３）。前記に於いて、同じ目的の操作として無線タグ１０１に対して公衆無線通信端末１０２の無線タグ読み取り口２８をタッチする操作もある。本発明に於いては簡単のため前者“かざす”操作のみの記述になっているが、後者“タッチする”操作を排除しているものではない。
【００６８】
　無線タグ１０１は無線タグ読み取り口２８が発生する交流磁界をアンテナ１４で受け電源生成部１１で電力を発生し自己の内蔵回路を動作させる。無線タグ１０１は、プロセッサ１２がメモリ１３に記憶している無線タグ読み取り口２８と交信しメモリ１３からデータを読み出し無線タグ読み取り口２８へ送出するプログラムを実行する。
【００６９】
　前記のプログラムの実行により、サービスサイト１０４のアドレスを特定する情報３と、前記アドレスのサービスサイト１０４において処理すべきサービス内容を特定する情報４を含むデータがメモリ１３から読み出され、電磁結合により公衆無線通信端末１０２の無線タグ読み取り口２８へ送出される（ＳＡ２）。
【００７０】
　公衆無線通信端末１０２はプロセッサ２１が無線タグ読み取り口２８から前記情報を含むデータを取得する（ＳＡ４）。
【００７１】
　プロセッサ２１はサービスサイト１０４を特定するアドレス特定手段を構成するプログラムを実行し、前記データの中のサービスサイト１０４のアドレスを特定する情報３を含むデータからサービスサイト１０４のアドレスを特定する（ＳＡ５）。
【００７２】
　公衆無線通信端末１０２は、公衆無線通信を含む公衆網を通して、前記により特定されたアドレスのサービスサイト１０４へ、前記のサービスサイト１０４において処理すべきサービス内容を特定する情報４を含むデータを送信する（ＳＡ６）。
【００７３】
　サービスサイト１０４は、前記データを受信すると、サービス内容特定手段を構成するプログラムを実行し、前記データの中のサービスサイト１０４において処理すべきサービス内容を特定する情報４からサービスサイト１０４が実行すべきサービス内容を特定する（ＳＡ７）。
【００７４】
　サービスサイト１０４はサービス起動手段を構成するプログラムを実行し、前記により特定されたサービス内容を起動する（ＳＡ８）。
【００７５】
　本発明により、無線タグ１０１と無線タグ１０１の読み取り口２８を備えた公衆無線通信端末１０２を使用することにより、公衆無線通信端末１０２の所有者は、公衆無線通信端末１０２の無線タグ読み取り口２８を無線タグ１０１にかざすだけで、公衆無線通信１を通して無線タグ１０１が指定するサービスサイト１０４へ自動的にアクセスし、サービスサイトのサービス内容を起動させることが可能になる。
【００７６】
　次に本発明の第２の実施の形態について説明する。
【００７７】
　図６は本発明の第２の実施の形態を説明するシステムの構成例を示すブロック図である。また、図７はシステムの動作の流れを例示するフローチャートである。
【００７８】
　公衆無線通信端末１０２の構成、および、無線タグ１０１の構成、および、公衆無線通信端末１０２の中の無線タグ読み取り口２８の部分の構成は本発明の第１の実施の形態において例示した構成と同じである。
【００７９】
　図６を参照すると、本発明のサービス起動システム１１０は、無線タグ（＃１〜ｍ）１０１、公衆無線通信端末１０２、サービスサイト（＃１〜＃ｎ）１０４、データベースサーバ１０５、および、データベースサーバ１０５の中に構築されるサービス特定データベース５、および、公衆無線通信１を含む公衆網２（インターネットを含む）から構成される。
【００８０】
　本発明の第１の実施の形態で説明したと同様に、公衆無線通信端末１０２は無線タグ１０１から無線でデータを読み取る。また、公衆無線通信端末１０２とデータベースサーバ１０５とサービスサイト１０４は公衆無線通信１を含む公衆網２を通してインターネットを含む非音声系の交信を行う。
【００８１】
　無線タグ１０１は、メモリ１３の中に、公衆無線通信端末１０２へ送出するデータ、および、無線タグ１０１が公衆無線通信端末１０２の無線タグ読み取り口２８と交信しメモリ１３から前記のデータを読み出し無線タグ読み取り口２８へ送出するためのプログラムを備えて構成する。前記データには、図８に例示する無線タグ１０１の自己を特定する固有のＩＤデータ６が含まれる。
【００８２】
　公衆無線通信端末１０２は、メモリ２２の中に、公衆無線通信端末１０２が、無線タグ１０１が送出するデータを無線タグ読み取り口２８を通して読み取るためのプログラム、および、前記データを公衆無線通信１を含む公衆網２を通してデータベースサーバ１０５へ送信するプログラム、および、公衆無線通信端末１０２を公衆無線通信端末として機能させるためのその他のプログラムを備えて構成する。
【００８３】
　データベースサーバ１０５は、図６に例示するようにサービス特定データベース５を備える。サービス特定データベース５の中には、予め、図９に例示するような構成で、無線タグ１０１の自己を特定する固有のＩＤデータ６から、サービスサイト１０４のアドレスを特定するデータ、および、サービスサイト１０４において処理すべきサービス内容を特定するデータを索引可能なデータベースを構築しておく。また、データベースサーバ１０５は、無線タグ１０１の送出データに含まれる無線タグ１０１の自己を特定する固有のＩＤデータを公衆無線通信端末１０２から受信するプログラム、および、前記にて受信した無線タグ１０１の自己を特定する固有のＩＤデータからサービス特定データベース５を索引するプログラム、および、前記プログラムにて索引されたサービスサイト１０４のアドレスを特定するデータからサービスサイト１０４のアドレスを特定するプログラム、および、前記にてアドレスが特定されたサービスサイト１０４へサービス特定データベース５から索引されたサービスサイト１０４において処理すべきサービス内容を特定するデータを送信するプログラムを備えて構成する。
【００８４】
　サービスサイト１０４は、公衆無線通信１を含む公衆網２を通して公衆無線通信端末１０２との間で電子メールなどの非音声系通信が可能な情報処理装置であり、サービスサイト１０４において処理すべきサービス内容を特定するデータをデータベースサーバ１０５から受信するプログラム、および、前記にて受信したデータにより特定されるサービス内容を起動するプログラムを備えて構成する。
【００８５】
　次に動作について説明する。
【００８６】
　図６で例示した個々の無線タグ１０１のメモリ１３には、予め、無線タグ１０１の自己を特定する固有のＩＤデータ６、例えば、「Ｔ−１」、「Ｔ−２」、・・を書き込んでおく（ＳＢ１）。
【００８７】
　また、サービス特定データベース１０５は、図９に例示するように、前記の無線タグ１０１の自己を特定する固有のＩＤデータ６、例えば、「Ｔ−１」、「Ｔ−２」、・・に対応させて、サービスサイト１０４のアドレスを特定するデータ、例えば、「サービスサイト−１」、「サービスサイト−２」、・・、および、サービスサイト１０４において処理すべきサービス内容を特定するデータ、例えば、「サービス−１」、「サービス−２」、・・を格納しておく（ＳＢ２）。
【００８８】
　前記のサービス特定データベース１０５へのデータ格納は、本発明によるサービス起動システムのシステム構築時に行うものであり、本発明によるサービス起動システムの動作の中で行うものではないが、説明をわかりやすくするため、フローチャートの最初に例示した。
【００８９】
　公衆無線通信端末１０２の無線タグ読み取り口２８を、前記の無線タグ１０１の自己を特定する固有のＩＤデータ６を書き込んだ無線タグ１０１に対してかざす（ＳＢ３）。
【００９０】
　本発明の第１の実施の形態において説明したと同様に、公衆無線通信端末１０２の無線タグ読み取り口２８をかざされた無線タグ１０１は、公衆無線通信端末１０２の無線タグ読み取り口２８と交信しメモリ１３から前記のデータを読み出し無線タグ読み取り口２８へ送出するためのプログラムを実行する。前記プログラムの実行により、前記の無線タグ１０１の自己を特定する固有のＩＤデータ６が公衆無線通信端末１０２の無線タグ読み取り口２８へ送出される（ＳＢ４）。
【００９１】
　公衆無線通信端末１０２は、無線タグ１０１が送出するデータを無線タグ読み取り口２８を通して読み取るためのプログラム、および、前記データを公衆無線通信を含む公衆網を通してデータベースサーバ１０５へ送信するプログラムを実行する。前記プログラムの実行により、前記の無線タグ１０１の自己を特定する固有のＩＤデータ６が無線タグ１０１から取得され、公衆無線通信１を含む公衆網２を通してデータベースサーバ１０５へ送信される（ＳＢ５）。
【００９２】
　データベースサーバ１０５は、公衆無線通信端末１０２から無線タグ１０１の自己を特定する固有のＩＤデータ６を受信するプログラム、および、受信した無線タグ１０１の自己を特定する固有のＩＤデータ６を通してサービス特定データベース７１を索引するプログラムを実行する。前記プログラムの実行により、前記にて受信した無線タグ１０１の自己を特定する固有のＩＤデータ６を通して、サービスサイト１０４のアドレスを特定するデータ、および、サービスサイト１０４において処理すべきサービス内容を特定するデータが取得される（ＳＢ５）。
【００９３】
　前記の索引は、例えば、図９において、無線タグ１０１の自己を特定する固有のＩＤデータ「Ｔ−１」を索引のキーとして、「Ｔ−１」のデータに対応させて記憶されているサービスサイト１０４のアドレスを特定するデータ「サービスサイト−１」、および、サービスサイト１０４において処理すべきサービス内容を特定するデータ「サービス−１」を取得する方法で行われる。
【００９４】
　次に、データベースサーバ１０５は、サービスサイト１０４のアドレスを特定するデータからサービスサイト１０４のアドレスを特定するプログラム、および、アドレスが特定されたサービスサイト１０４へサービスサイト１０４において処理すべきサービス内容を特定するデータを送信するプログラムを実行する。
【００９５】
　前記プログラムの実行により、例えば、サービスサイト１０４のアドレスを特定するデータ「サービスサイト−１」によりアドレスが特定されたサービスサイト１０４へ、前記にて取得されたサービスサイト１０４において処理すべきサービス内容を特定するデータ「サービス−１」が送信される（ＳＢ６）。
【００９６】
　サービスサイト１０４は、サービスサイト１０４において処理すべきサービス内容を特定するプログラムを実行し、前記にて受信したサービスサイト１０４において処理すべきサービス内容を特定するデータ「サービス−１」から、処理すべきサービス内容を特定する（ＳＢ７）。
【００９７】
　サービスサイト１０４は、前記により特定されたサービス内容を起動する（ＳＢ８）。
【００９８】
　本発明により、無線タグ１０１と無線タグの読み取り口２８を備えた公衆無線通信端末１０２を使用することにより、公衆無線通信端末１０２の所有者は、公衆無線通信端末１０２の無線タグ読み取り口２８を無線タグ１０１にかざすだけで、公衆無線通信１を含む公衆網２を通してサービスサイト１０４へ自動的にアクセスし、サービスサイト１０４のサービス内容を起動させることが可能になる。
【００９９】
　また、サービス特定データベース５の索引機能を使用することにより、無線タグ１０１の自己を特定する固有のＩＤデータだけで間接的にサービスサイト１０４のアドレスとサービスサイト１０４において処理すべきサービス内容を特定可能になる。
【０１００】
　前記により、サービス特定データベース５の中の無線タグ１０１の自己を特定する固有のＩＤデータに対するサービスサイト１０４のアドレスを特定するデータとサービスサイト１０４において処理すべきサービス内容を特定するデータを書き換えることにより、同一の無線タグ１０１に対してサービス内容を起動するサービスサイト１０４とサービスサイト１０４において処理すべきサービス内容を適宜変更可能になり柔軟なサービス起動システムを構築可能になる。
【０１０１】
　また、サービス特定データベース５の中のサービスサイト１０５において処理すべきサービス内容を特定するデータの中に、複数、または、複雑なサービスを含めることが可能になり、一つの無線タグから高度なサービス内容を起動可能になる。
【０１０２】
　次に本発明の第３の実施の形態について説明する。
【０１０３】
　図１０は本発明の第３の実施の形態を説明するシステムの構成例を示すブロック図である。また、図１１はシステムの動作の流れを例示するフローチャートである。
【０１０４】
　図１０を参照すると、本発明によるサービス起動システム１２０は、無線タグ１０１、公衆無線通信端末１０２、サービスサイト１０４、および、サービスサイト１０４の中に構築されるサービス内容特定データベース７、および、公衆無線通信を含む公衆網から構成される。
【０１０５】
　無線タグ１０１の構成は、本発明の第１の実施の形態において説明した図３の構成と同じであり、メモリ１３には、公衆無線通信端末１０２へ送出するデータ、および、無線タグ１０１が公衆無線通信端末１０２の無線タグ読み取り口２８と交信しメモリ１３から前記のデータを読み出し無線タグ読み取り口２８へ送出するためのプログラムが格納されている。本発明の実施の形態においては、前記データには、図１２に例示するサービスサイト１０４のアドレスを特定するアドレス情報８、および、サービスサイト１０４の中で自己を特定する固有のＩＤデータ９が含まれる。
【０１０６】
　公衆無線通信端末１０２は、本発明の第１の実施の形態において説明した図２の構成と同じであり、メモリ２２には、公衆無線通信端末１０２が、無線タグ１０１が送出する前記のサービスサイト１０４のアドレスを特定するアドレス情報８、および、サービスサイト１０４の中で自己を特定する固有のＩＤデータ９を無線タグ読み取り口２８を通して読み取るためのプログラム、および、前記にて読み取ったサービスサイト１０４のアドレスを特定するアドレス情報８からサービスサイト１０４のアドレスを特定するプログラム、および、前記により特定されたアドレスのサービスサイト１０４へ前記にて読み取ったサービスサイト１０４の中で自己を特定する固有のＩＤデータ９を送信するプログラム、および、公衆無線通信端末１０２を公衆無線通信端末として機能させるためのその他のプログラムが格納されている。
【０１０７】
　サービスサイト１０４は、公衆無線通信１を含む公衆網２を通して公衆無線通信端末１０２との間で電子メールなどの非音声系通信が可能な情報処理装置であり、前記のようにサービス内容特定データベース７を備えて構成される。サービス内容特定データベース７の中には、予め、図１３に例示するような構成で、無線タグ１０１の自己を特定する固有のＩＤデータ、例えば、「ｔー１」、「ｔー２」、・・と、前記データに対応するサービスサイト１０４において処理すべきサービス内容を特定するデータ、例えば、「サービス−１」、「サービス−２」、・・を格納しておく。
【０１０８】
　また、サービスサイト１０４は、公衆無線通信端末１０２から送信されたサービスサイト１０４の中で自己を特定する固有のＩＤデータ９からサービス内容特定データベース７を索引し、処理すべきサービス内容を特定するプログラム、および、前記により特定されたサービス内容を起動するプログラム、および、サービスサイト１０４をサービスサイトとして機能させるその他のプログラムを備えて構成されている。
【０１０９】
　次に、動作について説明する。
【０１１０】
　図１０で例示した個々の無線タグ１０１のメモリ１３には、予め、サービスサイト１０４のアドレスを特定するアドレス情報８、および、サービスサイト１０４の中で自己を特定する固有のＩＤデータ９を書き込んでおく（ＳＣ１）。
【０１１１】
　また、サービスサイト１０４のサービス内容特定データベース７には、予め、図１３に例示するような構成のデータベースを構築しておく。
【０１１２】
　図１３を参照すると、該データベース７は、前記にて無線タグ１０１のメモリ１３に格納したサービスサイト１０４の中で自己を特定する固有のＩＤデータ「ｔ−１」、「ｔ−２」、・・に対応させて、サービスサイト１０４において処理すべきサービス内容を特定するデータ、例えば、「サービス−１」、「サービス−２」、・・を格納しておく（ＳＣ２）。
【０１１３】
　公衆無線通信端末１０２の無線タグ読み取り口２８を、前記のサービスサイト１０４のアドレスを特定するアドレス情報、および、サービスサイト１０４の中で自己を特定する固有のＩＤデータを書き込んだ無線タグ１０１に対してかざす（ＳＣ３）。
【０１１４】
　本発明の第１の実施の形態において説明したことと同様に、公衆無線通信端末１０２の無線タグ読み取り口２８をかざされた無線タグ１０１は、公衆無線通信端末１０２の無線タグ読み取り口２８と交信しメモリ１３から前記の情報を含むデータを読み出し公衆無線通信端末１０２の無線タグ読み取り口２８へ送出するプログラムを実行する。前記のプログラムの実行により、メモリ１３からサービスサイト１０４のアドレスを特定するアドレス情報８、および、サービスサイト１０４の中で自己を特定する固有のＩＤデータ９が、公衆無線通信端末１０２の無線タグ読み取り口２８送出される（ＳＣ４）。
【０１１５】
　公衆無線通信端末１０２は、本発明の第１の実施の形態において説明したと同様に、無線タグ１０１が送出するデータを無線タグ読み取り口２８を通して読み取るためのプログラムを実行し、無線タグ読み取り口２８から前記データを取得する（ＳＣ５）。
【０１１６】
　公衆無線通信端末１０２は、サービスサイト１０４のアドレスを特定するアドレス情報からサービスサイト１０４のアドレスを特定するプログラムを実行し、前記にて受信したサービスサイト１０４のアドレスを特定するアドレス情報８からサービスサイト１０４のアドレスを特定する（ＳＣ６）。
【０１１７】
　公衆無線通信端末１０２は、特定されたアドレスのサービスサイト１０４へサービスサイト１０４の中で自己を特定する固有のＩＤデータを送信するプログラムを実行し、前記にて受信したサービスサイト１０４の中で自己を特定する固有のＩＤデータ９を送信する（ＳＣ７）。
【０１１８】
　サービスサイト１０４は、サービスサイト１０４の中で自己を特定する固有のＩＤデータからサービス内容特定データベース７を索引し、処理すべきサービス内容を特定するプログラムを実行する。前記プログラムの実行により、前記にて受信したサービスサイト１０４の中で自己を特定する固有のＩＤデータを通して前記のサービス内容特定データベース７を索引し、処理すべきサービス内容を特定する。前記索引は、例えば、サービスサイト１０４の中で自己を特定する固有のＩＤデータ、例えば、「ｔ−１」を索引のキーに用いて「ｔ−１」のデータに対応させて記憶されているサービスサイト１０４において処理すべきサービス内容を特定するデータ「サービス−１」を取得する方法で行う（ＳＣ８）。
【０１１９】
　サービスサイト１０４は、サービス内容を起動するプログラムを実行し、前記により特定されたサービス内容を起動する（ＳＣ９）。
【０１２０】
　本発明により、無線タグと無線タグの読み取り口を備えた公衆無線通信端末を使用することにより、公衆無線通信端末の所有者は、公衆無線通信端末の無線タグ読み取り口を無線タグにかざすだけで、公衆無線通信を含む公衆網を通して無線タグが指定するサービスサイトへ自動的にアクセスし、サービスサイトのサービスを起動させることが可能になる。
【０１２１】
　また、サービス内容特定データベースの索引機能を使用することにより、無線タグのサービスサイトの中で自己を特定する固有のＩＤデータから間接的にサービスサイトにおいて処理すべきサービス内容を特定可能になる。
【０１２２】
　また、サービス内容特定データベースの中のサービス内容を特定するデータを書き換えることにより、同一の無線タグに対してサービスサイトにおいて処理すべきサービス内容を適宜変更可能になり柔軟なサービス起動システムを構築可能になる。
【０１２３】
　また、サービス内容特定データベースのサービスサイトにおいて処理すべきサービス内容を特定するデータの中に、複数、または、複雑なサービスを含めることが可能になり、一つの無線タグから高度なサービス内容を起動可能になる。
【０１２４】
　次に本発明の第４の実施の形態について説明する。
【０１２５】
　本発明のサービス起動システムは、本発明の第１、または、第２、または、第３の実施の形態で説明したサービス起動システム１００，１１０，１２０であって、公衆無線通信端末１０２の無線タグ読み取り口２８は、本発明の第１の実施の形態で説明した公衆無線通信端末１０２の無線タグ読み取り口２８に図１４に例示するように時計機構２９を設けて構成する。
【０１２６】
　公衆無線通信端末１０２の無線タグ読み取り口２８の読み取り制御部２８ｃは、前記により無線タグ１０１の送出データを読み取ったときの時計機構２８からの時刻データを無線タグ１０１の送出データと共に公衆無線通信端末１０２のプロセッサ２１へ渡すように構成する。
【０１２７】
　公衆無線通信端末１０２のメモリ２２には、無線タグ１０１に対して公衆無線通信端末１０２の無線タグ読み取り口２８をかざし、前記により無線タグ読み取り口２８から渡された無線タグ１０１の送出データと時計機構２９からの時刻データをサービスサイト１０４へ送信するプログラムを備えて構成する。
【０１２８】
　次に、動作について説明する。
【０１２９】
　公衆無線通信端末１０２の無線タグ読み取り口２８の読み取り制御部２８ｃは、送受信部２８ｂとアンテナ２８ａを介して無線タグ１０１の送出データを読み取ると、直ちに時計機構２９から時刻データを取り込み、無線タグ１０１の送出データと共に公衆無線通信端末１０２のプロセッサ２１へ渡す。
【０１３０】
　公衆無線通信端末１０２からサービスサイト１０４への前記時刻データの送信は、本発明の第１、または、第３の実施の形態においては、公衆無線通信端末１０２からサービスサイト１０４へ送信する無線タグ１０１の送出データと共に送信し、また、本発明の第２の実施の形態においては、公衆無線通信端末１０２からデータベースサーバ１０５へ無線タグ１０１の送出データと共に送信し、さらに、データベースサーバ１０５からサービスサイト１０４へ、サービス特定データベース５から索引されたデータと共に送信することにより可能である。
【０１３１】
　本発明により、公衆無線通信端末１０２は、公衆無線通信端末１０２の無線タグ読み取り口２８に設けた時計機構２９により、無線タグ１０１に対して公衆無線通信端末１０２の無線タグ読み取り口２８をかざし無線タグ１０１の送出データを読み取ったときの時刻データを公衆無線通信端末１０２からサービスサイトへ送信可能になる。
【０１３２】
　次に、本発明の第５の実施の形態について説明する。
【０１３３】
　本発明のサービス起動システムは、本発明の第１、または、第２、または、第３の実施の形態で説明したサービス起動システムであって、サービスサイト１０４に時計機構２９を設けて構成する。
【０１３４】
　また、サービスサイト１０４には、本発明の第１、または、第２、または、第３の実施の形態において、サービスサイト１０４が処理すべきサービス内容として特定されたサービス内容の中でサービスの開始または終了と定めるときの時刻データを前記時計機構から取得し記録するプログラム等を設けて構成する。
【０１３５】
　次に、動作について説明する。
【０１３６】
　本発明の実施の形態における時計機構は、サービスサイト１０４が実行するプログラムからの要求により、該要求時刻の時刻データを該プログラムへ供給する。
【０１３７】
　前記プログラムは、本発明の第１、または、第２、または、第３の実施の形態の説明において、無線タグ１０１の送出データをもとに特定されたサービスサイト１０４において処理すべきサービス内容として特定されたサービス内容の中でサービス開始と定めるときに前記時計機構２９から時刻データを取得し記録する。また、サービス開始と同様に、サービス終了と定めるときに前記時計機構２９から時刻データを取得し記録する。
【０１３８】
　本発明により、サービスサイト１０４に設けた時計機構２９により、無線タグ１０１の送出データから特定するサービスの開始、または、終了と定める時刻データを記録可能になる。
【０１３９】
　次に本発明の第６の実施の形態について説明する。
【０１４０】
　図１５は本発明の実施の形態を説明する公衆無線通信端末１０２の無線タグ読み取り口２８の構成例を示すブロック図である。
【０１４１】
　図１５を参照すると、本発明の第４の実施の形態で説明した公衆無線通信端末１０２の無線タグ読み取り口２８に電波時計の基準信号である長波標準電波に同期する標準時刻発生手段３０を設けて構成し、該標準時刻発生手段３０から時計機構２９へ標準時刻信号を供給し時計機構２９の精度維持を行う。
【０１４２】
　前記の長波標準電波に同期する標準時刻発生手段３０は、長波標準電波の受信回路と標準時刻信号発生回路である。本発明においては、例えば、該回路からの標準時刻信号を前記時計機構２９に入力し、前記時計機構２９の時刻合わせを行う方法で時計機構の精度維持を行う。
【０１４３】
　同様の方法により、本発明の第５の実施の形態における時計機構２９においても長波標準電波の受信によって時計機構の精度維持を行う。
【０１４４】
　本発明により、公衆無線通信端末１０２の無線タグ読み取り口２８、または、サービスサイトに設けた時計機構２９を長波標準電波に同期させて精度維持可能になる。
【０１４５】
　次に本発明の第７の実施の形態について説明する。
【０１４６】
　本発明のサービス起動システムは、本発明の第１、または、第２、または、第３の実施の形態で説明した公衆無線通信端末１０２に、無線タグ１０１の送出データを正しく読み取ったときに、無線タグ１０１の送出データの正常読み取り完を明示する手段を設けて構成する。
【０１４７】
　前記の無線タグ１０１の送出データの正常読み取り完を明示する手段は、例えば、図２の音声入出力／振動機構２５と、該音声入出力／振動機構２５を駆動し音や振動を発生させるプログラム、および、本発明の第１、または、第２、または、第３の実施の形態で説明した無線タグ１０１が送出するデータを無線タグ読み取り口２８を通して読み取るプログラムから正常読み取り完の情報を取得し、前記の音声入出力／振動機構２５を駆動し音や振動を発生させるプログラムを設けて構成する。発生させる音や振動は、無線タグ１０１の送出データの正常読み取り完を明示する音や振動として意味付けて予め決めたパターンで発生させる。
【０１４８】
　本発明により、公衆無線通信端末１０２の所有者は、公衆無線通信端末１０２が無線タグ１０１の送出データを正しく読み取り完了したことを音や振動などで確認可能になる。
【０１４９】
　次に本発明の第８の実施の形態について説明する。
【０１５０】
　本発明のサービス起動システムは、本発明の第７の実施の形態で説明した公衆無線通信端末１０２に擬音発生手段を設け、公衆無線通信端末１０２が無線タグ１０１の送出データの正常読み取りを完了したときに前記擬音発生手段によってクリック音を発生させるように構成する。前記擬音発生手段は、例えば、本発明の第７の実施の形態で説明した音声入出力／振動機構２５を使用し、該音声入出力／振動機構２５を駆動し音や振動を発生させるプログラムにクリック音のパターンで音を発生させるプログラムを備えて構成する。
【０１５１】
　本発明により、公衆無線通信端末の利用者は、公衆無線通信端末が無線タグ１０１の送出データを正しく読み取り完了したことをクリック音で確認可能になる。
【０１５２】
　次に、本発明の第９の実施の形態について説明する。
【０１５３】
　本発明のサービス起動システムは、本発明の第１、または、第２、または、第３の実施の形態で説明したサービス起動システムであって、サービスサイト１０４は、前記サービスサイト１０４において処理すべきサービス内容に関するデータ、サービスを起動した時刻、並びに、無線タグ１０１に公衆無線通信端末１０２の無線タグ読み取り口２８をかざした公衆無線通信端末１０２の所有者に関するデータを集計する手段となるプログラムを備えて構成される。
【０１５４】
　前記のサービスサイト１０４において処理すべきサービス内容に関するデータは、本発明の第１、または、第２、または、第３の実施の形態の説明において、サービスサイト１０４が起動するサービス内容に関するデータであって、例えば、サービスの種類、サービスの経過、サービスの結果等のデータである。
【０１５５】
　また、前記のサービスを起動した公衆無線通信端末１０２の所有者に関するデータは、公衆無線通信端末１０２の電話番号、または、電子メールアドレス、または、会員制をとる時の会員番号、または、前記の電話番号、電子メールアドレス、会員番号を索引キーとして索引できる公衆無線通信端末１０２の所有者に関する住所、氏名、性別、年齢、職業、所得、購買歴などのデータである。
【０１５６】
　例えば、電子メールアドレスの場合、本発明の第１、または、第３の実施の形態の説明において、公衆無線通信端末１０２がサービスサイト１０４へ無線タグ１０１の送出データを送信するとき、送信元を表すために前記公衆無線通信端末１０２の電子メールアドレスのデータを前記の無線タグ１０１の送出データと共に送信する場合の前記公衆無線通信端末１０２の電子メールアドレスのデータである。また、本発明の第２の実施の形態の説明において、公衆無線通信端末１０２がデータベースサーバ１０５へ無線タグ１０１の送出データを送信するとき、さらに、データベースサーバ１０５がサービス特定データベース５から索引したデータをサービスサイト１０４へ送信するとき、前記公衆無線通信端末１０２の電子メールアドレスのデータを、前記の無線タグの送出データ、または、サービス特定データベース５から索引したデータと共に送信する場合の公衆無線通信端末１０２の電子メールアドレスのデータである。
【０１５７】
　また、本発明のサービス起動システムは、公衆網を通して前記のサービスサイト１０４と交信可能な情報処理装置を備えて構成される。
【０１５８】
　前記の情報処理装置は、前記のサービスサイト１０４が集計したサービスサイト１０４が起動したサービス内容に関するデータ、起動した時刻、並びに、前記のサービス内容を起動した公衆無線通信端末１０２の所有者に関するデータを、各サービスサイト１０４から交信により取得し、分析する手段となるプログラムを備えて構成される。
【０１５９】
　また、前記の情報処理装置は顧客データベースを備えて構成してもよく、該顧客データベースには、例えば、前記のサービス内容を起動した公衆無線通信端末１０２の所有者に関する住所、氏名、性別、年齢、職業、所得、購買歴などのデータを蓄積する。
【０１６０】
　また、前記の情報処理装置には、前記の各サービスサイト１０４から取得したサービスサイト１０４が集計したデータと、前記の顧客データベースの蓄積データとを合わせて集計し分析する手段となるプログラムを備えて構成する。
【０１６１】
　前記の情報処理装置は、本発明のサービス起動システムを構成するサービスサイト１０４の内の特定のサービスサイト１０４が代行することもできる。
【０１６２】
　次に、動作について説明する。
【０１６３】
　サービスサイト１０４は前記のサービスサイト１０４が備えるプログラムを実行し、前記に例示したサービスサイト１０４において起動したサービス内容に関するデータ、起動した時刻、前記のサービス内容を起動した公衆無線通信端末１０２の所有者に関するデータを集計する。また、情報処理装置は前記の情報処理装置が備えるプログラムを実行し、各サービスサイト１０４と交信して各サービスサイト１０４から前記の集計データを取得し、前記顧客データベースのデータと合わせて集計し分析する。
【０１６４】
　本発明により、サービスサイト１０４において起動したサービス内容に関するデータ、起動した時刻、並びに公衆無線通信端末１０２の所有者に関するデータを集計し分析可能になる。
【０１６５】
　次に、本発明の第１０の実施の形態について説明する。
【０１６６】
　図１６は本発明における無線タグ１０１を貼付した商品広告その他情報提供媒体１５の構成を例示する。
【０１６７】
　本発明のサービス起動システムは、本発明の第１、または、第２、または、第３の実施の形態で例示したサービス起動システムであって、無線タグ１０１を商品広告その他情報提供媒体１５に貼付して構成する。
【０１６８】
　また、サービスサイト１０４は、前記商品広告その他情報提供媒体１５が提供する内容に関連する商品の販売、予約並びに関連する詳細情報などの提供に係わるサービス内容を起動可能なように構成する。
【０１６９】
　前記の商品広告その他情報提供媒体１５が提供する内容に関連する商品の販売、予約並びに関連する詳細情報などの提供に係わるサービス内容は、例えば、サービスサイト１０４が前記商品広告その他情報提供媒体１５の詳細な説明を行うホームページのアドレス情報を公衆無線通信端末１０２へ電子メールで送信するサービス等であり、該サービスを起動するプログラムをサービスサイト１０４に備えて構成する。
【０１７０】
　また、本発明の第１の実施の形態で例示したサービス起動システムでは、前記の無線タグ１０１のメモリ１３に書き込むデータの、サービスサイト１０４において処理すべきサービス内容を特定する情報として、前記の商品広告その他情報提供媒体１５が提供する内容に関連する商品の販売、予約並びに関連する詳細情報などの提供に係わるサービス内容を特定する情報を含むデータを書き込む。
【０１７１】
　また、本発明の第２の実施の形態で例示したサービス起動システムでは、サービス特定データベース５の中のサービスサイト１０４において処理すべきサービス内容を特定する情報として、前記の商品広告その他情報提供媒体１５が提供する内容に関連する商品の販売、予約並びに関連する詳細情報などの提供に係わるサービス内容を特定するデータを書き込む。
【０１７２】
　また、本発明の第３の実施の形態で例示したサービス起動システムでは、サービス内容特定データベース７の中のサービスサイト１０４において処理すべきサービス内容を特定する情報として、前記の商品広告その他情報提供媒体１５が提供する内容に関連する商品の販売、予約並びに関連する詳細情報などの提供に係わるサービス内容を特定するデータを書き込む。
【０１７３】
　次に、動作について説明する。
【０１７４】
　前記の無線タグ１０１を貼付した商品広告その他情報提供媒体１５に公衆無線通信端末１０２の無線タグ読み取り口２８をかざすと、本発明の第１、または、第２、または、第３の実施の形態で説明した動作の流れにより、サービスサイト１０４は処理すべきサービス内容を特定する。前記で特定されるサービス内容は、前記の商品広告その他情報提供媒体１５が提供する内容に関連する商品の販売、予約並びに関連する詳細情報などの提供に係わるサービス内容である。
【０１７５】
　次に、サービスサイト１０４は、前記で特定された商品広告その他情報提供媒体１５が提供する内容に関連する商品の販売、予約並びに関連する詳細情報などの提供に係わるサービス内容を起動する。
【０１７６】
　サービスサイト１０４は、前記のサービス内容の起動により、例えば、前記商品広告その他情報提供媒体の詳細な説明を行うホームページのアドレス情報を前記の公衆無線通信端末１０２へ電子メールで送信するサービスを実行する。
【０１７７】
　前記において、商品広告その他情報提供媒体１５には複数の無線タグ１０１を貼付し、各無線タグ１０１から、異なるサービス内容を起動するように構成してもよい。
【０１７８】
　本発明により、商品広告その他情報提供媒体に貼付した無線タグに公衆無線通信端末の無線タグ読み取り口２８をかざしたときに、サービスサイトから公衆無線通信端末に対して商品広告その他情報提供媒体が提供する内容に関連する商品の販売、予約並びに関連する詳細情報などの提供に係わるサービス内容の起動が可能になる。
【０１７９】
　次に、本発明の第１１の実施の形態について説明する。
【０１８０】
　図１７は本発明の第１１の実施の形態を説明するシステムのブロック図である。また、図１８は時間の経過と共に提供する内容を変える商品広告その他情報提供媒体を説明する図である。
【０１８１】
　図１７、および、図１８を参照すると、本発明のサービス起動システム１３０は、本発明の第１０の実施の形態で例示したサービス起動システムであって、前記商品広告その他情報提供媒体１５を時間の経過と共に提供する内容を変える前記商品広告その他情報提供媒体１６に代えて構成する。
【０１８２】
　前記の時間の経過と共に提供する内容を変える前記商品広告その他情報提供媒体１６は、例えば、ＬＥＤ、ＣＲＴ、液晶、またはプラズマディスプレイの画面１７を使用し、画面に表示する内容を時間の経過と共に変えられるようにした情報提供媒体である。
【０１８３】
　また、前記の時間の経過と共に提供する内容を変える前記商品広告その他情報提供媒体１６は、図１８に例示するように、前記の時間の経過と共に提供する内容を変える前記商品広告その他情報提供媒体１６が提供する提供内容ごとの対応する場所に固有の無線タグ１０１を貼付して構成する。
【０１８４】
　図１８では、時刻Ｔ１に提供する提供内容１で示される矢印１８に対応する場所に無線タグ１０１＃１を貼付し、時刻Ｔ２に提供する提供内容２で示される矢印１８に対応する場所に無線タグ１０１＃２を貼付して構成する。
【０１８５】
　また、前記の時間の経過と共に提供する内容を変える前記商品広告その他情報提供媒体１６の提供内容に対応する無線タグ１０１の貼付場所を明示する手段は、前記の提供内容の中で画面が表示する矢印１８のほかに、矢印１８に代わる画像や前記の提供内容の中で音声で出力する言葉により明示するように構成してもよい。
【０１８６】
　次に、動作について説明する。
【０１８７】
　前記の時間の経過と共に提供する内容を変える商品広告その他情報提供媒体１６に貼付した無線タグ１０１に公衆無線通信端末１０２の無線タグ読み取り口２８をかざすと、本発明の第１、または、第２、または、第３の実施の形態で説明した動作の流れにより、サービスサイト１０４はサービスサイトにおいて処理すべきサービス内容を特定する。
【０１８８】
　無線タグ１０１は前記商品広告その他情報提供媒体１６が提供する提供内容ごとの対応する場所に貼付されており、前記の提供内容ごとに、公衆無線通信端末１０２の無線タグ読み取り口２８をかざすべき無線タグ１０１が矢印等により明示されるため、サービスサイト１０４は、どの無線タグ１０１が公衆無線通信端末１０２の無線タグ読み取り口２８で読み取られたかを知ることりにより、時間の経過と共に提供する内容を変える前記商品広告その他情報提供媒体１６が提供した提供内容を特定できる。
【０１８９】
　本発明により、時間の経過と共に提供する内容を変える商品広告その他情報提供媒体において、特定の提供内容に対応する無線タグの貼付場所を明示可能になる。
【０１９０】
　次に、本発明の第１２の実施の形態について説明する。
【０１９１】
　図１９は本発明のサービス起動システムの動作の流れを例示するフローチャートである。
【０１９２】
　本発明のサービス起動システムは、時間の経過と共に提供する内容を変える商品広告その他情報提供媒体に無線タグ１０１を貼付して構成する。
【０１９３】
　公衆無線通信端末１０２は、本発明の第１の実施の形態で説明した公衆無線通信端末１０２の構成に図１４に例示する時計機構２９、または、図１５に例示する時計機構２９と標準時刻発生手段３０を設けて構成する。
【０１９４】
　また、公衆無線通信端末１０２は、無線タグ１０１に対して公衆無線通信端末１０２の無線タグ読み取り口２８をかざし、無線タグ１０１の送出データを読み取ったときの時刻データを前記時計機構２９から取得し、サービスサイト１０４、または、データベースサーバ１０５へ送信するプログラムを備えて構成する。
【０１９５】
　サービスサイト１０４は、本発明の第１、または、第２、または、第３の実施の形態で説明したサービスサイト１０４の構成であって、公衆無線通信端末１０２から受信した前記の時刻データ、または、サービスサイト１０４が備える前記時計機構２９から取得した時刻データを無線タグ１０１の送出データと合わせることにより前記商品広告その他情報提供媒体の提供内容を特定するプログラムを備えて構成する。
【０１９６】
　前記において、公衆無線通信端末１０２が無線タグ１０１の送出データを取得した時刻データをサービスサイト１０４へ送信する方法は、本発明の第４の実施の形態で説明したと同様に、例えば、本発明の第１、または、第３の実施の形態においては、公衆無線通信端末１０２からサービスサイト１０４へ送信する無線タグ１０１の送出データと共に送信する。また、本発明の第２の実施の形態においては、公衆無線通信端末１０２からデータベースサーバ１０５へ無線タグ１０１の送出データと共に送信し、さらに、データベースサーバ１０５からサービスサイト１０４へ、サービス特定データベース５から索引されたデータと共に送信する方法で構成する。
【０１９７】
　次に、動作について説明する。
【０１９８】
　図１９を参照すると、本発明のサービス起動システムは、時間の経過と共に提供する内容を変える前記商品広告その他情報提供媒体に貼付する無線タグ１０１に公衆無線通信端末１０２の無線タグ読み取り口２８をかざす（ＳＤ３）と、本発明の第１０の実施の形態で説明した動作の流れにより、公衆無線通信端末１０２からサービスサイト１０４へ、無線タグ１０１の送出データに含まれるサービス内容を特定する情報、および、時計機構２９から取得した時刻データが送信される（ＳＤ７）。
【０１９９】
　前記により、サービスサイト１０４は、公衆無線通信端末１０２から送信されたデータに含まれるサービスサイト１０４において処理すべきサービス内容を特定する情報と、公衆無線通信端末が無線タグ１０１の送出データを読み取ったとき時計機構２９からの時刻データを取得する。サービスサイト１０４は、前記にて取得したサービスサイト１０４において処理すべきサービス内容を特定する情報から、サービス内容特定手段により特定されるサービス内容を起動して、商品広告その他情報提供媒体の提供内容を特定するプログラムを時刻データと合わせて参照し、前記時刻における商品広告その他情報提供媒体の提供内容を特定する（ＳＤ８）。
【０２００】
　前記において、時間の経過と共に提供する内容を変える商品広告その他情報提供媒体１６が提供する提供内容が、例えば、提供内容１から提供内容２へ切り替わるとき、公衆無線通信端末１０２の所有者が公衆無線通信端末１０２の無線タグ読み取り口２８を無線タグ１０１にかざす操作の遅れや、公衆無線通信端末１０２の時計機構２９が送出する時刻データと商品広告その他情報提供媒体１６の時刻との間のずれなどの原因により、サービスサイト１０４において、公衆無線通信端末１０２の所有者が公衆無線通信端末１０２の無線タグ読み取り口２８を提供内容１に対してかざしたのか、または、提供内容２に対してかざしたのかが判別出来なくなる可能性がある。
【０２０１】
　しかしながら、起動するサービス内容の中で公衆無線通信端末１０２の所有者が希望するサービス内容を確認する手段を設けることによって前記の不都合は容易に回避することができる。また、提供内容１と提供内容２の間に、例えば、該時間帯においては無線タグ１０１を使用しない時間的マージンを設けることにより、前記の不都合の発生を極力減らすことが出来る。
【０２０２】
　本発明により、サービスサイトは、時間の経過と共に提供する内容を変える商品広告その他情報提供媒体１６に貼付する無線タグ１０１の送出データと、前記の送出データを公衆無線通信端末１０２の無線タグ読み取り口２８で読み取ったときの時刻データと合わせることにより商品広告その他情報提供媒体１６の提供内容を特定可能になる。
【０２０３】
　次に本発明の第１３の実施の形態について説明する。
【０２０４】
　本発明のサービス起動システムは、本発明の第１０の実施の形態について説明したサービス起動システムのサービスサイト１０４の中に携帯電話向けのホームページを開設して構成する。
【０２０５】
　また、前記サービスサイト１０４には、前記ホームページから提供されかつ前記公衆無線通信端末１０２を通して受け取り可能なサービス内容を起動する機能を備えて構成する。
【０２０６】
　また、無線タグ１０１、または、サービス特定データベース７には、サービスサイト１０１のアドレスを特定する情報、および、サービスサイト１０４において処理すべきサービス内容を特定する情報としての前記携帯電話向けのホームページのアドレスを含むデータを書き込む。
【０２０７】
　また、無線タグ１０１は商品広告その他情報提供媒体に貼付して構成する。
【０２０８】
　次に、動作について説明する。
【０２０９】
　商品広告その他情報提供媒体に貼付した前記の無線タグ１０１に前記の公衆無線通信端末１０２の無線タグ読み取り口２８をかざすと、前記公衆無線通信端末１０２は本発明の第１、または、第２、または、第３の実施の形態で説明した方法で、サービスサイト１０４へ、サービスサイト１０４において処理すべきサービス内容を特定する情報としての前記携帯電話向けホームページのアドレスを含むデータを送信する。同時に公衆無線通信端末１０２はブラウザを立ち上げる。ブラウザにより受信表示される情報提供サービスと電子メールにより受信表示される情報提供サービスとが混在する場合は前記無線タグ１０１の送出データの中に、ブラウザにより受信表示される情報提供サービスか、または、電子メールにより受信表示される情報提供サービスか、を区別する情報を含め、前記の区別する情報によって公衆無線通信端末１０２は、ブラウザ、または、電子メールを受信表示するプログラムを立ち上げる。
【０２１０】
　また、前記公衆無線通信端末１０２からサービスサイト１０４へ、または、前記公衆無線通信端末１０２からデータベースサーバ１０５を経由してサービスサイト１０４へ、前記公衆無線通信端末１０２のアドレスを含むデータが送信される。
【０２１１】
　サービスサイト１０４は、前記携帯電話向けのホームページのアドレスで指定されたホームページのデータを前記公衆無線通信端末１０２のアドレスの公衆無線通信端末１０２へ送信する。
【０２１２】
　前記公衆無線通信端末１０２は前記ホームページのデータからディスプレイ２４に前記の携帯電話向けのホームページを表示する。
【０２１３】
　前記公衆無線通信端末１０２の所有者は前記で表示されたホームページから提供されるサービス内容をキーボード２３等により選択し、サービスサイト１０４に対して、選択したサービス内容を起動させる。
【０２１４】
　本発明により、商品広告その他情報提供媒体１６に貼付した無線タグに公衆無線通信端末１０２の無線タグ読み取り口をかざしたとき特定するサービスサイト１０４を携帯電話向けに設置されたホームページとし、前記ホームページから提供されかつ公衆無線通信端末１０２を通して受け取り可能なサービス内容の起動が可能になる。
【０２１５】
　次に本発明の第１４の実施の形態について説明する。
【０２１６】
　図２０は、本発明のサービス起動システムの実施の形態を例示するブロック図である。
【０２１７】
　図２０を参照すると、本発明のサービス起動システムは、本発明の第１、または、第２、または、第３の実施の形態で説明したサービス起動システムであって、サービスサイト１０４と交信可能なサービス提供マシン（＃１〜ｍ）１０を備えて構成する。
【０２１８】
　また、前記サービス提供マシン１０には無線タグ１０１を貼付し、前記無線タグ１０１の送出データには前記サービス提供マシンに固有のマシンアドレス情報を含めるように構成する。例えば、図２０の例において、無線タグ１０１＃１の送出データには、無線タグ１０１＃１が貼付されているサービス提供マシン１０＃１に固有のマシンアドレス情報を含める。
【０２１９】
　また、サービスサイト１０４には、前記無線タグ１０１の送出データから特定されたサービスサイト１０４が、前記サービス提供マシンに固有のマシンアドレス情報から特定するサービス提供マシン１０と交信することによって特定のサービス内容に対応する動作を前記サービス提供マシン１０に指令するプログラムを備えて構成する。
【０２２０】
また、サービス提供マシン１０は、サービスサイト１０４からの指令を実行するように構成する。
【０２２１】
　前記において、サービス提供マシン１０が提供するサービスに本人確認が必要な場合は、公衆無線通信端末１０２により行うことができ、公衆無線通信端末１０２の発信者電話番号にもとづく確認、もしくは、公衆無線通信端末１０２に固有に付与された端末製造番号、もしくは、ＵＩＭ／ＳＩＭに類する認証用モジュール、もしくは、メールアドレスと暗証番号、もしくは、これらの組み合わせによる方法がある。本説明では、簡単のためメールアドレスと暗証番号による本人確認を例に説明するが、これにより請求範囲を制約するものではない。
【０２２２】
　次に、動作について説明する。
【０２２３】
　本発明の実施の形態の動作の説明では、無線タグ１０１からの送出データが本発明の第１の実施の形態で説明した方法により公衆無線通信端末１０２からサービスサイト１０４へ送信される場合の動作を説明する。本発明の第２、または第３の実施の形態で説明した方法でも同様である。
【０２２４】
　図２１において、例えば、サービス提供マシン１０＃１に貼付された無線タグ１０１＃１に公衆無線通信端末１０２の無線タグ読み取り口２８をかざすと、無線タグ１０１＃１から公衆無線通信端末１０２の無線タグ読み取り口２８へサービスサイト１０４のアドレスを特定する情報、サービスサイト１０４において処理すべきサービス内容を特定する情報、および、サービス提供マシン１０＃１に固有のマシンアドレス情報を含むデータが送出される（ＳＥ２）。
【０２２５】
　公衆無線通信端末１０２はアドレス特定手段により、前記の無線タグ１０１＃１の送出データに含まれるサービスサイト１０４のアドレスを特定する情報から、サービスサイト１０４のアドレスを特定する（ＳＥ５）。
【０２２６】
　公衆無線通信端末１０２は前記により特定されたアドレスのサービスサイト１０４へサービスサイト１０４において処理すべきサービス内容を特定する情報、および、サービス提供マシン１０＃１に固有のマシンアドレス情報のデータを送信する（ＳＥ６）。
【０２２７】
　サービスサイト１０４は、公衆無線通信端末１０２から送信されたデータに含まれるサービスサイト１０４において処理すべきサービス内容を特定する情報からサービス内容特定手段によりサービス内容を特定し、サービス提供マシン１０に固有のマシンアドレス情報から、サービス提供マシン１０＃１を特定する（ＳＥ７）。
【０２２８】
　サービスサイト１０４は前記により特定されたサービス内容を、サービス起動手段により起動し、サービス提供マシン１０に固有のマシンアドレス情報から特定されたサービス提供マシン１０＃１と交信し、特定のサービス内容に対応する動作をサービス提供マシン１０＃１に指令する（ＳＥ８）。
【０２２９】
　サービス提供マシン１０＃１はサービスサイト１０４からの前記指令を実行する（ＳＥ９）。
【０２３０】
　本発明により、公衆無線通信端末の所有者は、サービス提供マシンに貼付された無線タグに公衆無線通信端末の無線タグ読み取り口２８をかざすだけで、サービスサイトから前記サービス提供マシンへサービス内容に対応する動作の指令が行われ、公衆無線通信端末の所有者はサービス提供マシンを通して特定のサービスを受けることが可能になる。
【０２３１】
　次に、本発明の第１５の実施の形態について説明する。
【０２３２】
　本発明のサービス起動システムは、本発明の第１４の実施の形態で説明したサービス起動システムであって、
　サービスサイト１０４は、サービス提供マシン１０に貼付した無線タグ１０１の送出データに対応するサービス内容の起動によって書き換えを行う利用状態記憶部を備えて構成する。
【０２３３】
　また、サービスサイト１０４は、前記利用状態記憶部のデータと前記無線タグの送出データとからサービスの利用開始の起動と利用完了の起動とを識別する開始完了識別手段を備えて構成する。
【０２３４】
　また、サービスサイト１０４は、前記開始完了識別手段と本発明の第４もしくは第５の実施の形態で説明した時計機構２９による時刻データとによって前記の利用開始時刻と利用完了時刻を決定し、前記利用開始時刻と利用完了時刻とから前記サービス提供マシン１０を通して供与されるサービスの利用時間を算出する利用時間算出手段を備えて構成する。
【０２３５】
　また、サービスサイト１０４は、前記利用時間算出手段を通して算出する利用時間から所定の利用料金を算出する料金算出手段を備えて構成する。
【０２３６】
　前記の利用状態記憶部は、利用完了を表すデータを記憶しているときは無線タグ１０１の送出データに対応するサービス内容の起動によって利用開始を表すデータに書き換えられ、また、利用開始を表すデータを記憶しているときは無線タグ１０１の送出データに対応するサービス内容の起動によって利用完了を表すデータに書き換えられる。
【０２３７】
　また、前記の開始完了識別手段は、前記の利用状態記憶部が記憶しているデータが利用完了を表しているサービス提供マシン１０に対して、無線タグ１０１の送出データから特定されたサービス内容に対応する動作を指令する起動を識別してサービスの利用開始とする。また、前記の利用状態記憶部に記憶しているデータが利用開始を表しているサービス提供マシン１０に対して、無線タグ１０１の送出データから特定されたサービス内容に対応する動作を指令する起動を識別してサービスの利用完了とする。
【０２３８】
　前記において、開始完了識別手段、利用時間算出手段、および、料金算出手段は、前記機能を備えるプログラムで構成出来る。
【０２３９】
　次に、動作について説明する。
【０２４０】
　図２３は本発明のサービス起動システムの動作の流れを例示するフローチャートである。
【０２４１】
　本発明の実施の形態の動作の説明では、無線タグ１０１からの送出データが本発明の第１の実施の形態で説明した方法により公衆無線通信端末１０２からサービスサイト１０４へ送信される場合の動作を説明する。本発明の第２、または、第３の実施の形態で説明した方法でも同様である。
【０２４２】
　以下の説明では、本発明の第１４の実施の形態で説明した図２０のサービス起動システムの構成を例示するブロック図において、前記により特定されたサービス提供マシン１０をサービス提供マシン１０＃１として、また、前記サービス提供マシン１０＃１に貼付された無線タグ１０１を無線タグ１０１＃１として説明する。
【０２４３】
　また、以下の説明では、サービスサイト１０４の利用状態記憶部の中のサービス提供マシン１０＃１の利用状態を表すデータは、初期状態として、サービスの利用完了を表すデータで書き換えておくものとして説明する（ＳＦ７）。
【０２４４】
　図２３を参照すると、本発明のサービス起動システムは、本発明の第１４の実施の形態で説明したと同様に図２３のＳＦ１〜ＳＦ４を実行する。
【０２４５】
　次に、公衆無線通信端末１０２は、本発明の第１４の実施の形態で説明したと同様に、アドレス特定手段により、無線タグ１０１＃１の送出データに含まれるサービスサイト１０４のアドレスを特定する情報から、サービスサイト１０４のアドレスを特定する（ＳＦ５）。
【０２４６】
　次に、公衆無線通信端末１０２は、前記により特定されたアドレスのサービスサイト１０４へサービスサイト１０４において処理すべきサービス内容を特定する情報、サービス提供マシン１０＃１に固有のマシンアドレス情報、および、時計機構２９から取得した時刻データを送信する（ＳＦ６）。
【０２４７】
　サービスサイト１０４は、公衆無線通信端末１０２から送信されたデータに含まれるサービスサイト１０４において処理すべきサービス内容を特定する情報からサービス内容特定手段によりサービス内容を特定し、サービス提供マシン１０に固有のマシンアドレス情報から、サービス提供マシン１０＃１を特定する（ＳＦ８）。
【０２４８】
　サービスサイト１０４は、利用状態記憶部の中のサービス提供マシン１０＃１の利用状態を表すデータを確認する（ＳＦ１０）。
【０２４９】
　利用状態記憶部の中のサービス提供マシン１０＃１の利用状態を表すデータがサービスの利用完了を表す場合は、サービス提供マシンに固有のマシンアドレス情報から特定されたサービス提供マシン１０＃１と交信し、特定のサービス内容に対応する動作をサービス提供マシン１０＃１に指令する（ＳＦ１０）。
【０２５０】
　次に、サービスサイト１０１は、開始完了識別手段として、サービスの利用開始を識別する（ＳＦ１１）。
【０２５１】
　サービス提供マシン１０＃１はサービスサイト１０４から指令された動作を行う（ＳＦ１４）。
【０２５２】
　次に、サービスサイト１０４は、利用時間算出手段により、前記により受信した無線タグ読み取り口２８に設けた時計機構２９による時刻データもしくはサービスサイト１０４に設けた時計機構による時刻データによって利用開始時刻を決定する（ＳＦ１２）。
【０２５３】
　次に、サービスサイト１０４は、利用状態記憶部の中のサービス提供マシン１０＃１の利用状態を表すデータを、サービスの利用開始を表すデータと、前記により決定された利用開始時刻のデータで書き換える（ＳＦ１３）。
【０２５４】
　次に、サービス提供マシン１０＃１を通して供与されているサービスの利用を完了させる場合の動作を説明する。
【０２５５】
　前記で説明したサービス提供マシン１０＃１を通して供与されるサービスの利用を開始する場合の動作と同様に、本発明のサービス起動システムは、図２３のＳＦ１〜ＳＦ１１を実行する。
【０２５６】
　サービスサイト１０４は、利用状態記憶部の中のサービス提供マシン１０＃１の利用状態を表すデータを確認する（ＳＦ１０）。
【０２５７】
　利用状態記憶部の中のサービス提供マシン１０＃１の利用状態を表すデータがサービスの利用開始を表す場合は、サービス提供マシンに固有のマシンアドレス情報から特定されたサービス提供マシン１０＃１と交信し、特定のサービス内容に対応する動作をサービス提供マシン１０＃１に指令する（ＳＦ１５）。
【０２５８】
　サービス提供マシン１０＃１は、サービスサイト１０４から指令された動作を行う（ＳＦ１６）。
【０２５９】
　次に、サービスサイト１０４は、開始完了識別手段として、サービスの利用完了を識別する（ＳＦ１６）。
【０２６０】
　次に、サービスサイト１０４は、利用時間算出手段により、前記により受信した無線タグ読み取り口２８に設けた時計機構３９による時刻データもしくはサービスサイト４０に設けた時計機構による時刻データによって利用完了時刻を決定する（ＳＦ１７）。
【０２６１】
　次に、サービスサイト１０４は、利用状態記憶部の中のサービス提供マシン１０＃１の利用状態を表すデータを、サービスの利用完了を表すデータで書き換える（ＳＦ１８）。
【０２６２】
　次に、サービスサイト１０４は、サービス提供マシン１０＃１に対応する利用状態記憶部の中に記憶されている利用開始時刻のデータと前記の利用完了時刻とから、利用時間算出手段により、サービス提供マシン１０＃１を通して供与されたサービスの利用時間を算出する（ＳＦ１９）。
【０２６３】
　次に、サービスサイト４０は、料金算出手段により前記の利用時間から所定の利用料金を算出する（ＳＦ２０）。
【０２６４】
　本発明により、サービス提供マシンを通して供与されるサービスの利用時間の算出と、該サービスの利用時間からの所定の利用料金の算出がサービス起動システムにおいて可能になる。
【０２６５】
　次に、本発明の第１６の実施の形態について説明する。
【０２６６】
　本発明のサービス起動システムは、本発明の第１４の実施の形態で説明したサービス起動システムであって、前記サービス提供マシン１０にサービス開始用無線タグとサービス完了用無線タグを貼付して構成する。
【０２６７】
　前記のサービス開始用無線タグとサービス完了用無線タグは送出データが違うように構成する。前記のサービス開始用無線タグとサービス完了用無線タグの送出データが違うように構成する方法は、例えば、本発明の第１の実施の形態で説明したサービス起動システムでは、無線タグ１０１のメモリ１３に書き込むデータのうちのサービスサイト１０４において処理すべきサービス内容を特定する情報の中に、サービス開始、または、サービス完了の情報を含ませる方法がある。
【０２６８】
　また、サービスサイト１０４は、前記サービス開始用無線タグ１０１とサービス完了用無線タグ１０１の送出データの違いと、本発明の第４もしくは第５の実施の形態で説明した時計機構２９による時刻データとによって、利用開始時刻と利用完了時刻を決定する利用時間算出手段を備えるように構成する。
【０２６９】
　前記の利用時間算出手段は、前記のサービスサイト１０４において処理すべきサービス内容を特定する情報の中に、サービス開始の情報を含むときは、前記時刻データからサービスの利用開始時刻を決定する。また、前記のサービスサイト４０において処理すべきサービス内容を特定する情報の中に、サービス完了の情報を含むときは、前記時刻データからサービスの利用完了時刻を決定する。
【０２７０】
　前記の利用時間算出手段は、前記で決定された利用開始時刻と利用完了時刻とから前記サービス提供マシン１０を通して供与されるサービスの利用時間を算出するプログラムにより構成される。
【０２７１】
　また、サービスサイト１０４は、料金算出手段を備えて構成する。
【０２７２】
　前記の料金算出手段は、前記の利用時間算出手段を通して算出されたサービスの利用時間からサービス提供マシン１０を通して供与されるサービスの所定の利用料金を算出するプログラムにより構成される。
【０２７３】
　次に、動作について説明する。
【０２７４】
　図２５乃至図２８は本発明のサービス起動システムの動作の流れを例示するフローチャートである。
【０２７５】
　本発明の実施の形態の動作説明においては、図２０において、１台のサービス提供マシン１０＃１とサービスサイト１０４を使用する構成で説明する。
【０２７６】
　また、無線タグ１０１＃１はサービス開始用無線タグとして、また、無線タグ１０１＃２はサービス完了用無線タグとして同一のサービス提供マシン１０＃１に貼付される場合を説明する。
【０２７７】
　前記の構成では無線タグ１０１＃１と無線タグ１０１＃２に書き込まれているサービスサイト１０４のアドレスを特定する情報、および、サービス提供マシンに固有のマシンアドレス情報は同じでよい。
【０２７８】
　また、本発明の実施の形態の動作の説明では、無線タグ１０１からの送出データが本発明の第１の実施の形態で説明した方法により公衆無線通信端末１０２からサービスサイト１０４へ送信される場合の動作を説明する。本発明の第２、または、第３の実施の形態で説明した方法でも同様である。
【０２７９】
　図２５乃至図２８において、サービス提供マシン１０＃１に貼付された無線タグ２０＃１に公衆無線通信端末１０２をかざすと、無線タグ１０１＃１から公衆無線通信端末１０２の無線タグ読み取り口２８へサービスサイト１０４のアドレスを特定する情報、サービスサイト１０４において処理すべきサービス内容を特定する情報、および、サービス提供マシン１０＃１に固有のマシンアドレス情報を含むデータが送出される（ＳＧ４、ＳＧ２）。
【０２８０】
　公衆無線通信端末１０２は、前記データを取得する（ＳＧ５）。
【０２８１】
　公衆無線通信端末１０２はアドレス特定手段により、前記の無線タグ１０１＃１の送出データに含まれるサービスサイト１０４のアドレスを特定する情報から、サービスサイト１０４のアドレスを特定する（ＳＧ６）。
【０２８２】
　公衆無線通信端末１０２は前記により特定されたアドレスのサービスサイト１０４へ、サービスサイト１０４において処理すべきサービス内容を特定する情報、および、サービス提供マシン１０＃１に固有のマシンアドレス情報を含むデータを送信する（ＳＧ７）。前記のサービスサイト１０４において処理すべきサービス内容を特定する情報の中にはサービス開始の情報を含んでいる。
【０２８３】
　サービスサイト１０４は、サービスサイト１０４において処理すべきサービス内容を特定する情報（サービス開始の情報を含む）から、サービス内容特定手段により、処理すべきサービス内容を特定し、サービス提供マシン１０に固有のマシンアドレス情報から、サービス提供マシン１０＃１を特定する（ＳＧ８）。
【０２８４】
　サービスサイト１０４は前記により特定されたサービス内容を、サービス起動手段により起動し、サービス提供マシン１０に固有のマシンアドレス情報から特定されたサービス提供マシン１０＃１と交信し、特定のサービス内容に対応する動作をサービス提供マシン１０＃１に指令する（ＳＧ１０）。
【０２８５】
　サービス提供マシン１０＃１は、サービスサイト１０４から指令された動作を行う（ＳＧ１０）。
【０２８６】
　サービスサイト１０４は前記のサービスサイト１０４において処理すべきサービス内容を特定する情報の中のサービス開始の情報と、前記により受信した無線タグ読み取り口２８に設けた時計機構２９による時刻データもしくはサービスサイト１０４に設けた時計機構による時刻データとから利用開始時刻を決定する（ＳＧ１１）。
【０２８７】
　サービス完了の場合は、前記のサービス開始の場合と同様に、サービス提供マシン１０＃１に貼付された無線タグ１０１＃２に公衆無線通信端末１０２をかざすと、無線タグ１０１＃２から公衆無線通信端末１０２の無線タグ読み取り口２８へサービスサイト１０４のアドレスを特定する情報、サービスサイト１０４において処理すべきサービス内容を特定する情報、および、サービス提供マシン１０＃１に固有のマシンアドレス情報を含むデータが送出される（ＳＧ１３）。
【０２８８】
　公衆無線通信端末１０２は前記のデータを取得する（ＳＧ１４）。
【０２８９】
　公衆無線通信端末１０２はアドレス特定手段により、前記の無線タグ１０１＃２の送出データに含まれるサービスサイト１０４のアドレスを特定する情報から、サービスサイト１０４のアドレスを特定する（ＳＧ１５）。
【０２９０】
　公衆無線通信端末１０２は前記により特定されたアドレスのサービスサイト１０４へ、サービスサイト１０４において処理すべきサービス内容を特定する情報、サービス提供マシン１０＃１に固有のマシンアドレス情報、および、時計機構２９から取得した時刻データを含むデータを送信する（ＳＧ１６）。前記のサービスサイト１０４において処理すべきサービス内容を特定する情報の中にはサービス完了の情報を含んでいる。
【０２９１】
　サービスサイト１０４は、サービスサイト１０４において処理すべきサービス内容を特定する情報（サービス完了の情報を含む）から、サービス内容特定手段により、処理すべきサービス内容を特定し、サービス提供マシン１０に固有のマシンアドレス情報から、サービス提供マシン１０＃１を特定する（ＳＧ１７）。
【０２９２】
　サービスサイト１０４は、前記により特定されたサービス内容を、サービス起動手段により起動し、サービス提供マシン１０に固有のマシンアドレス情報から特定されたサービス提供マシン１０＃１と交信し、特定のサービス内容に対応する動作をサービス提供マシン１０＃１に指令する（ＳＧ１８）。
【０２９３】
　サービス提供マシン１０＃１はサービスサイト１０４から指令された動作を行う（ＳＧ１０）。
【０２９４】
　サービスサイト１０４はサービスサイト１０４において処理すべきサービス内容を特定する情報の中のサービス完了の情報と、前記により受信した無線タグ読み取り口２８に設けた時計機構２９による時刻データもしくはサービスサイト１０４に設けた時計機構２９による時刻データとからサービスの利用完了時刻を決定する（ＳＧ１９）。
【０２９５】
　サービスサイト１０４は、前記の利用時間算出手段を通して、前記の利用開始時刻と前記の利用完了時刻とからサービス提供マシン１０＃１を通して供与されたサービスの利用時間を算出する（ＳＧ２０）。
【０２９６】
　サービスサイト１０４は、料金算出手段を通して、前記の利用時間からサービス提供マシン１０＃１を通して供与されたサービスの所定の利用料金を算出する（ＳＧ２１）。
【０２９７】
　本発明により、公衆無線通信端末１０２の所有者は、サービス提供マシン１０に貼付されたサービス開始用無線タグ１０１、または、サービス完了用無線タグに公衆無線通信端末１０２の無線タグ読み取り口２８をかざすだけで、サービス提供マシンを通して供与されるサービスの利用開始、または、サービスの利用完了をサービスサイトを通して指令することが可能になる。
【０２９８】
　次に、本発明の第１７の実施の形態について説明する。
【０２９９】
　本発明のサービス起動システムは、本発明の第１４の実施の形態で説明したサービス起動システムであって、公衆無線通信端末１０２には、公衆無線通信端末１０２の入力部であるキーボード２３から入力するサービス提供マシン１０の解放指令をサービスサイト１０４へ送信する機能を備えて構成する。前記のキーボード２３から入力されたサービス提供マシン１０の解放指令をサービスサイト１０４へ送信する機能は公衆無線通信端末１０２のプログラムにより構成できる。
【０３００】
　また、公衆無線通信端末１０２には、公衆無線通信端末１０２が無線タグ１０１から送出されたデータを無線タグ読み取り口２８から取得完了したとき、時計機構２９が送出する時刻データを取得し、本発明の第１４の実施の形態で説明したサービスサイト１０４において処理すべきサービス内容を特定する情報とサービス提供マシン１０に固有のマシンアドレス情報をサービスサイト１０４へ送信するとき、前記で取得した時刻データを合わせてサービスサイト１０４へ送信するように構成する。
【０３０１】
　サービスサイト１０４は、サービス提供マシン１０の利用状態を記憶する利用状態記憶部を備え、該利用状態記憶部の中のサービス提供マシン１０の利用状態を表すデータを初期状態として利用完了を表すデータで書き換えておく。
【０３０２】
　また、サービスサイト１０４は、サービス提供マシン１０に貼付した無線タグ１０１の送出データによるサービス内容の起動と、前記利用状態記憶部の中のサービス提供マシン１０の利用状態を表すデータが利用完了を表すデータであることから識別するサービス内容の最初の起動と、本発明の第４もしくは第５の実施の形態で説明した時計機構による時刻データとから利用開始時刻を決定する。
【０３０３】
　また、サービスサイト１０４は、前記にて公衆無線通信端末１０２の入力部から入力するサービス提供マシンの解放指令と、本発明の第４もしくは第５の実施の形態で説明した時計機構による時刻データとから利用完了時刻を決定し、前記の利用開始時刻と前記の利用完了時刻とからサービス提供マシン１０を通して供与されるサービスの利用時間を算出する利用時間算出手段を備えて構成する。前記の利用時間算出手段はサービスサイト１０４のプログラムにより構成できる。
【０３０４】
　また、サービスサイト１０４は、前記の利用時間算出手段を通して算出する利用時間から所定の利用料金を算出する料金算出手段を備えて構成する。前記の料金算出手段はサービスサイト１０４のプログラムにより構成できる。
【０３０５】
　次に動作について説明する。
【０３０６】
　図２９〜図３２は本発明のサービス起動システムの動作の流れを例示するフローチャートである。
【０３０７】
　本発明の実施の形態の動作の説明では、無線タグ１０１からの送出データが本発明の第１の実施の形態で説明した方法により公衆無線通信端末１０２からサービスサイト１０４へ送信される場合の動作を説明する。本発明の第２、または、第３の実施の形態で説明した方法でも同様である。
【０３０８】
　また、以下の説明では、サービスサイト１０４の利用状態記憶部の中のサービス提供マシン１０の利用状態を表すデータは、初期状態として、サービスの利用完了を表すデータで書き換えておくものとして説明する（ＳＨ１）。
【０３０９】
　図２９〜図３２を参照すると、本発明のサービス起動システムは、本発明の第１４の実施の形態で説明したと同様にＳＨ２〜ＳＨ５を実行する。
【０３１０】
　次に、公衆無線通信端末１０２は、無線タグ１０１からの送出データを無線タグ読み取り口２８から取得完了したときの時計機構２９が送出する時刻データを取得する（ＳＨ６）。
【０３１１】
　次に、公衆無線通信端末１０２は、本発明の第１４の実施の形態で説明したと同様に、ＳＨ７によりサービスサイト１０４のアドレスを特定し、特定されたアドレスのサービスサイト１０４へサービスサイト１０４において処理すべきサービス内容を特定する情報、サービス提供マシン１０に固有のマシンアドレス情報、および、時計機構２９から取得した時刻データを含むデータを送信する（ＳＨ３およびＳＨ８）。
【０３１２】
　サービスサイト１０４は、前記により公衆無線通信端末１０２から送信されたデータに含まれるサービスサイト１０４において処理すべきサービス内容を特定する情報からサービス内容特定手段によりサービス内容を特定し、サービス提供マシン１０に固有のマシンアドレス情報からサービス提供マシン１０を特定する（ＳＨ９）。
【０３１３】
　次に、サービスサイト１０４は、サービスサイト１０４の利用状態記憶部の中のサービス提供マシン１０の利用状態を表すデータが利用完了を表す場合は、該利用状態を表すデータを利用開始を表すデータで書き換え、サービス提供マシン１０を解放する予定時刻を指定するデータの送信を要求する電子メールを公衆無線通信端末１０２へ送信する（ＳＨ１０、ＳＨ１１、およびＳＨ１２）。
【０３１４】
　公衆無線通信端末１０２は、前記の電子メールを受信して表示する。公衆無線通信端末１０２の所有者は、受信した電子メールの返信文にキーボード２３からサービス提供マシン１０の解放予定時刻の指定を表すデータを入力し、サービスサイト１０４へ送信する（ＳＨ１３およびＳＨ１４）。
【０３１５】
　サービスサイト１０４は、特定されたサービス内容の最初の起動と、時計機構２９から取得した時刻データもしくはサービスサイト１０４に設けた時計機構２９による時刻データとから利用開始時刻Ｔ１を決定する。また、前記の解放予定時刻の指定を表すデータから解放予定時刻Ｔ３を決定する（ＳＨ１５）。
【０３１６】
　次に、サービスサイト１０４はサービス提供マシン１０に固有のマシンアドレス情報から特定されたサービス提供マシン１０と交信し、特定のサービス内容に対応する動作をサービス提供マシン１０に指令する（ＳＨ１６）。
【０３１７】
　サービス提供マシン１０はサービスサイト１０４から指令された動作を行い、動作の完了をサービスサイト１０４へ通知する（ＳＨ１７、およびＳＨ１８）。
【０３１８】
　前記において、サービスサイト１０４の利用状態記憶部の中のサービス提供マシン１０の利用状態を表すデータが利用開始を表す場合は、サービスサイト１０４はサービス提供マシン１０に固有のマシンアドレス情報から特定されたサービス提供マシン１０と交信し、特定のサービス内容に対応する動作をサービス提供マシン１０に指令する（ＳＨ１１および、ＳＨ１６）。
【０３１９】
　次に、サービスサイト１０４は公衆無線通信端末１０２へサービス提供マシン１０を解放するか問い合わせる電子メールを送信する（ＳＨ１９）。
【０３２０】
　公衆無線通信端末１０２は、前記の電子メールを受信表示する（ＳＨ２０）。
【０３２１】
　公衆無線通信端末１０２の所有者が、サービス提供マシン１０を解放せずに続けてサービスの供与を受ける場合は、前記で受信した電子メールの返信文にキーボード２３からサービス提供マシン１０を解放しない指令を表すデータを入力し、サービス提供マシン１０を解放する場合は、前記で受信した電子メールの返信文にキーボード２３からサービス提供マシン１０の解放指令を表すデータを入力し、時計機構２９から取得した時刻データと共に、前記のサービスサイト１０４へ返信する（ＳＨ２１）。
【０３２２】
　サービスサイト１０４は、前記で公衆無線通信端末１０２から受信した電子メールの返信文がサービス提供マシン１０の解放指令を表すデータを含む場合は、利用状態記憶部の中のサービス提供マシン１０の利用状態を表すデータを利用完了を表すデータで書き換え、前記の時計機構２９からの時刻データもしくはサービスサイト１０４に備える時計機構２９による時刻データとから利用完了時刻Ｔ２を決定する（ＳＨ２２、およびＳＨ２５）。
【０３２３】
　また、サービスサイト１０４は、公衆無線通信端末１０２から送信されたサービス提供マシンの解放予定時刻Ｔ３とサービスサイト１０４が備える時計機構２９から提供される現在の時刻データとを比較し、現在の時刻データが解放予定時刻Ｔ３を過ぎている場合、利用完了時刻Ｔ２を解放予定時刻Ｔ３で書き換え、利用状態記憶部の中のサービス提供マシン１０の利用状態を表すデータを利用完了を表すデータで書き換える（ＳＨ２３、および、ＳＨ２４）。
【０３２４】
　次に、サービスサイト１０４は、前記利用開始時刻Ｔ１と利用完了時刻Ｔ２とからサービス提供マシン１０を通して供与されたサービスの利用時間を算出し、料金算出手段により前記利用時間から所定の利用料金を算出する（ＳＨ２６）。
【０３２５】
　本発明により、公衆無線通信端末１０２の所有者は、一つの利用時間内に繰り返しサービスを提供するサービス提供マシン１０に貼付した無線タグ１０１に公衆無線通信端末１０２の無線タグ読み取り口２８をかざすだけで、一つの利用時間内にサービス提供マシンを通して繰り返しサービスの供与を受けることが可能になる。
【０３２６】
　また、サービスサイト１０４は、無線タグ１０１の送出データによるサービス内容の最初の起動と公衆無線通信端末１０２の無線タグ読み取り口２８に設けた時計機構２９から取得した時刻データもしくはサービスサイト１０４に設けた時計機構２９による時刻データとから決定された利用開始時刻と、公衆無線通信端末１０２の入力部から入力するサービス提供マシンの解放指令と公衆無線通信端末１０２の無線タグ読み取り口２８に設けた時計機構２９から取得した時刻データもしくはサービスサイト１０２に設けた時計機構２９による時刻データとから決定された利用完了時刻とから、サービス提供マシン１０を通して一つの利用時間内に繰り返し供与されるサービスの利用時間算出と利用料金の算出が可能になる。
【０３２７】
　次に本発明の第１８の実施の形態について説明する。
【０３２８】
　本発明のサービス起動システムは、本発明の第１４の実施の形態で説明したサービス起動システムであって、本発明の第１５、または、第１６、または、第１７の実施の形態で説明した利用料金算出手段によって算出する利用料金の内一定金額を割引する料金サービスを起動する無線タグ１０１を設けて構成する。
【０３２９】
　前記の無線タグ１０１の送出データに料金サービスを起動する情報を含める方法は、無線タグ１０１のメモリ１３に書き込むサービスサイト１０４において処理すべきサービス内容を特定する情報の中に、前記の料金サービスを起動する情報を含めることにより行える。
【０３３０】
　また、公衆無線通信端末１０２、および、データベースサーバ１０５には、前記の無線タグ１０１の送出データ、または、データベース５に含まれる前記の利用料金算出手段によって算出する利用料金の内一定金額を割引する料金サービスを起動する情報を含めてサービスサイト１０４へ送信するプログラムを備えて構成する。
【０３３１】
　また、サービスサイト１０４には、公衆無線通信端末１０２、または、データベースサーバ１０５から送信された前記の利用料金算出手段によって算出する利用料金の内一定金額を割引する料金サービスを起動する情報にもとづき、本発明の第１５、または、第１６、または、第１７の実施の形態で説明した利用料金算出手段によって算出された利用料金から一定金額を割引する料金サービスを行うプログラムを備えて構成する。
【０３３２】
　本発明により、前記の利用料金算出手段によって算出された利用料金のうちの一定金額を割引する料金サービスを無線タグにより起動することが可能になる。
【０３３３】
　次に本発明の第１９の実施の形態について説明する。
【０３３４】
　図３３は本発明の第１９の実施の形態を説明するシステムの構成を例示するブロック図である。また、図３４は前記システムを構成する錠付き戸棚３１の中の１つの格納庫１９の構成を例示する図である。また、図３５〜図４０は前記システムの動作の流れを例示するフローチャートである。図４１は解錠条件記憶部の解錠条件記憶部の構成を例示する図である。
【０３３５】
　図３３を参照すると、本発明のサービス起動システム１４０は、本発明の第１４の実施の形態で説明したサービス起動システムであって、前記サービス提供マシン１０として錠付き戸棚３１を備えて構成する。前記錠付き戸棚３１は、複数個の格納庫１９を備え、各格納庫ごとに無線タグ１０１を貼付して構成する。
【０３３６】
　また、前記の各無線タグ１０１のメモリ１３には、本発明の第１４の実施の形態で説明したサービス提供マシン１０に固有のマシンアドレス情報として、無線タグ１０１が貼付されている前記錠付き戸棚３１ごと格納庫１９ごとに固有のロッカーアドレス情報を含めて書き込み、前記公衆無線通信端末１０２の無線タグ読み取り口２８をかざしたときに、無線タグ１０１が送出するデータに前記の無線タグ１０１が貼付されている錠付き戸棚３１ごと格納庫１９ごとに固有のロッカーアドレス情報を含めるように構成する。前記の錠付き戸棚３１ごと格納庫１９ごとに固有のロッカーアドレス情報は、複数個の錠付き戸棚３１が存在するとき、各錠付き戸棚３１に固有のアドレスを付与し、さらに、前記の各錠付き戸棚３１の中に複数個の格納庫１９が存在するとき、前記の各格納庫１９に固有のアドレスを付与して構成する。
【０３３７】
　また、本発明の実施の形態においては、本発明の第１４の実施の形態で説明した無線タグ１０１が送出するデータに含まれるサービスサイト１０４において処理すべきサービス内容を特定する情報に、格納庫１９の解錠、並びに、施錠を指令する情報を含めて構成する。
【０３３８】
　また、前記の無線タグ１０１の送出データに含まれるサービスサイト１０４のアドレスから特定されるサービスサイト１０４には、前記の無線タグ１０１が貼付されている錠付き戸棚３１ごと格納庫１９ごとに固有のロッカーアドレス情報から特定される錠付き戸棚３１の格納庫１９に対して解錠、または、施錠を指令する手段を備えて構成する。前記の格納庫１９の解錠、並びに、施錠を指令する手段は、前記機能を備えるプログラムをサービスサイト１０４に備えて構成する。
【０３３９】
　次に、動作について説明する。
【０３４０】
　本発明の実施の形態の動作の説明では、一例として、無線タグ１０１からの送出データが本発明の第１の実施の形態で説明した方法により公衆無線通信端末１０２からサービスサイト１０４へ送信される場合の動作を説明する。本発明の第２、または、第３の実施の形態で説明した方法でも同様である。
【０３４１】
　また、本発明の実施の形態の説明では、一例として、図３３の錠付き戸棚３１の格納庫１９＃１に貼付されている無線タグ１０１＃１に対して公衆無線通信端末１０２の無線タグ読み取り口２８をかざし、サービスサイト１０４から錠付き戸棚３１へ指令して、格納庫１９＃１を解錠、並びに、施錠させる場合の動作を説明する。
【０３４２】
　格納庫１９＃１に貼付されている無線タグ１０１＃１のメモリ１３には、サービスサイト１０４のアドレスを特定する情報、サービスサイト１０４において処理すべきサービス内容を特定する情報、および、サービス提供マシン１０としての錠付き戸棚３１の格納庫１９＃１のロッカーアドレス情報を含むデータを書き込んでおく。前記のサービスサイト１０４において処理すべきサービス内容を特定する情報の中には、格納庫１９＃１を解錠、並びに、施錠させる指令を含めておく（ＳＩ３）。
【０３４３】
　また、サービスサイト１０４は、初期状態として利用状態記憶部の中の錠付き戸棚３１の格納庫１９＃１の利用状態を表すデータを利用完了を表すデータで書き換え、錠付き戸棚３１の格納庫１９＃１を解錠し、該当する利用ランプ３２＃１を滅灯するものとする（ＳＩ１、およびＳＩ２）。
【０３４４】
　公衆無線通信端末１０２の所有者が、利用ランプ３２＃１が滅灯している格納庫１９＃１を選択し、扉を開いて品物を格納し、扉を閉じる。
【０３４５】
　次に、公衆無線通信端末１０２の無線タグ読み取り口２８を錠付き戸棚３１の格納庫１９＃１に貼付されている無線タグ１０１＃１にかざすと、本発明の第１４の実施の形態で説明したと同様に無線タグ１０１＃１から前記のデータが無線タグ読み取り口２８へ送出される（ＳＩ４およびＳＩ５）。
【０３４６】
　公衆無線通信端末１０２は前記のデータを取得するとクリック音をならす（ＳＩ６）。
【０３４７】
　次に、公衆無線通信端末１０２は本発明の第１４の実施の形態で説明したと同様に、アドレス特定手段により特定されたアドレスのサービスサイト１０４へ、サービスサイト４０において処理すべきサービス内容を特定する情報としての格納庫１９＃１を解錠、並びに、施錠させる指令、および、サービス提供マシンに固有のマシンアドレス情報としての錠付き戸棚３１のロッカーアドレス情報のデータを送信する（ＳＩ７、および、ＳＩ８）。
【０３４８】
　前記のデータを受信したサービスサイト１０４は、サービスサイト１０４において処理すべきサービス内容を特定する情報としての錠付き戸棚３１の格納庫１９＃１を解錠、並びに、施錠させる指令と、サービス提供マシンに固有のマシンアドレス情報としての錠付き戸棚３１の格納庫１９＃１のロッカーアドレス情報から対応する利用状態記憶部のデータが利用完了のデータであることから、処理すべきサービス内容として錠付き戸棚３１の格納庫１９＃１の施錠の指令を特定する（ＳＩ９）。
【０３４９】
　次に、サービスサイト１０４は、前記のデータを送信した公衆無線通信端末１０２に対して解錠時に使用する暗証番号の入力の指示を送信する（ＳＩ１１）。
【０３５０】
　公衆無線通信端末１０２は、前記により受信した暗証番号の入力指示をディスプレイ２４に表示する（ＳＩ１１）。
【０３５１】
　公衆無線通信端末１０２の所有者は、キーボード２３から暗証番号を入力し、サービスサイト１０４へ送信する（ＳＩ１２）。
【０３５２】
　サービスサイト１０４は、前記により受信した公衆無線通信端末１０２のメールアドレスと暗証番号を解錠条件記憶部４５に登録する（ＳＩ１３）。
【０３５３】
　サービスサイト１０４は錠付き戸棚３１の格納庫１９＃１の扉が閉じられたことを検出し、利用ランプ３２＃１を点灯し、施錠する指令を錠付き戸棚３１に送信し、錠付き戸棚３１の格納庫１９＃１の対応する利用状態記憶部のデータを利用開始のデータに書き換える（ＳＩ１４、およびＳＩ１５）。
【０３５４】
　次に、錠付き戸棚３１の格納庫１９＃１を解錠し格納中の品物を取り出す場合を説明する。
【０３５５】
　前記の品物を格納し施錠する場合と同様に、公衆無線通信端末１０２はサービスサイト１０４へ、サービスサイト１０４において処理すべきサービス内容を特定する情報としての格納庫１９＃１を解錠、並びに、施錠させる指令、および、サービス提供マシンに固有のマシンアドレス情報としての錠付き戸棚３１ごと格納庫ごとに固有のロッカーアドレス情報のデータを送信する（ＳＩ１６〜ＳＩ２０）。
【０３５６】
　前記のデータを受信したサービスサイト１０４は、サービスサイト１０４において処理すべきサービス内容を特定する情報としての錠付き戸棚３１の格納庫１９＃１を解錠、並びに、施錠させる指令と、サービス提供マシンに固有のマシンアドレス情報としての錠付き戸棚３１の格納庫１９＃１のロッカーアドレス情報から対応する利用状態記憶部のデータが利用開始のデータであることから、処理すべきサービス内容として錠付き戸棚３１の格納庫１９＃１の解錠の指令を特定する（ＳＩ２１）。
【０３５７】
　次に、サービスサイト１０４は、前記のデータを送信した公衆無線通信端末１０２に対して暗証番号の入力の指示を送信する（ＳＩ２２）。
【０３５８】
　公衆無線通信端末１０２は、前記により受信した暗証番号の入力指示をディスプレイ２４に表示する（ＳＩ２３）。
【０３５９】
　公衆無線通信端末１０２の所有者は、キーボード２３から暗証番号を入力し、サービスサイト１０４へ送信する（ＳＩ２４）。
【０３６０】
　サービスサイト１０４は、前記により受信した公衆無線通信端末１０２のメールアドレスと、暗証番号を図４１に示す解錠条件記憶部４５に登録されているメールアドレスと、暗証番号と照合する（ＳＩ２５）。
【０３６１】
　サービスサイト１０４は、前記の照合が合致すると、錠付き戸棚３１の格納庫１９＃１の利用ランプ３２＃１を点滅し、解錠する指令を錠付き戸棚３１に送信し、錠付き戸棚３１の格納庫１９＃１の対応する利用状態記憶部のデータを利用完了のデータに書き換える（ＳＩ２６）。
【０３６２】
　公衆無線通信端末１０２の所有者は、錠付き戸棚３１の利用ランプが点滅中の格納庫１９＃１の扉を開き、品物を取り出し、扉を閉じる。格納庫１９＃１は利用ランプを滅灯する（ＳＩ２８）。
【０３６３】
　本発明により、公衆無線通信端末１０２の所有者は、錠付き戸棚３１の格納庫１９に貼付されている無線タグ１０１に公衆無線通信端末１０２の無線タグ読み取り口２８をかざし、暗証番号を入力するだけで錠付き戸棚３１の格納庫１９の施錠、並びに、解錠が可能になる。
【０３６４】
　次に、本発明の第２０の実施の形態について説明する。
【０３６５】
　本発明のサービス起動システムは、本発明の第１９の実施の形態で説明したサービス起動システムであって、前記サービス提供マシン１０としての錠付き戸棚３１に格納庫１９の扉を閉じた時に自動的に施錠を行う施錠手段を備えて構成する。
【０３６６】
　また、サービスサイト１０４は、前記施錠手段によって施錠後の錠付き戸棚３１を引き続き利用するか解放するかの意思を前記錠付き戸棚３１の利用者に確認する意思確認手段となるプログラムを備えて構成する。
【０３６７】
　前記の意思確認手段は、例えば、前記の格納庫１９の扉が閉じられたことを検出して自動的に施錠された後、サービスサイト１０４が意思確認の電子メールを公衆無線通信端末１０２へ送信し、引き続き利用するか解放するかの意思をあらわす電子メールを公衆無線通信端末１０２からサービスサイト１０４へ返信する方法で実現出来る。
【０３６８】
　また、サービスサイト１０４には、前記意思確認手段を通して利用者の解放の意思が確認された時に前記錠付き戸棚３１を利用から解放する利用解放手段となるプログラムを備えて構成する。
【０３６９】
　次に、動作について説明する。
【０３７０】
　図４２から図４８は本発明の第２０の実施の形態におけるシステムの動作の流れを例示するフローチャートである。
【０３７１】
　本発明の実施の形態の動作の説明では、一例として、無線タグ１０１からの送出データが本発明の第１の実施の形態で説明した方法により公衆無線通信端末１０２からサービスサイト１０４へ送信される場合の動作を説明する。本発明の第２、または、第３の実施の形態で説明した方法でも同様である。
【０３７２】
　また、本発明の実施の形態の説明では、一例として、図３３の錠付き戸棚３１の格納庫１９＃１に貼付されている無線タグ１０１＃１に対して公衆無線通信端末１０２の無線タグ読み取り口２８をかざし、サービスサイト１０４から錠付き戸棚３１へ指令して、格納庫１９＃１を解錠させる場合の動作を説明する。
【０３７３】
　格納庫１９＃１に貼付されている無線タグ１０１＃１のメモリ１３には、サービスサイト１０４のアドレスを特定する情報、サービスサイト１０４において処理すべきサービス内容を特定する情報、および、サービス提供マシン１０としての錠付き戸棚３１の格納庫１９＃１のロッカーアドレス情報を含むデータを書き込んでおく。また、前記のサービスサイト１０４において処理すべきサービス内容を特定する情報には、格納庫１９＃１を解錠させる指令を含めておく（ＳＪ１）。
【０３７４】
　まず、本発明のサービス起動システムの初期状態として、サービスサイト１０４は、錠付き戸棚３１の格納庫１９＃１の扉を施錠し、該当する利用ランプ３２＃１を滅灯する指令を錠付き戸棚３１に送信する。次に、サービスサイト１０４は、前記の指令に基づく動作が完了したことを錠付き戸棚３１から受信し、利用状態記憶部の中の対応する錠付き戸棚３１の格納庫１９＃１の利用状態を表すデータを利用完了を表すデータで書き換える。（ＳＪ２〜ＳＪ４）。
【０３７５】
　公衆無線通信端末１０２の所有者が、利用ランプ３２＃１が滅灯している格納庫１９＃１を選択し、公衆無線通信端末１０２の無線タグ読み取り口２８を錠付き戸棚３１の格納庫１９＃１に貼付されている無線タグ１０１＃１にかざすと、本発明の第１４の実施の形態で説明したと同様に無線タグ１０１＃１から前記のデータが無線タグ読み取り口２８へ送出される（ＳＪ５、およびＳＪ６）。
【０３７６】
　公衆無線通信端末１０２は前記のデータを取得するとクリック音をならす（ＳＪ７）。
【０３７７】
　次に、公衆無線通信端末１０２は本発明の第１４の実施の形態で説明したと同様に、アドレス特定手段により特定されたアドレスのサービスサイト１０４へ、サービスサイト１０４において処理すべきサービス内容を特定する情報としての格納庫１９＃１を解錠させる要求、および、サービス提供マシンに固有のマシンアドレス情報としての錠付き戸棚３１の格納庫１９＃１のロッカーアドレス情報を含むデータを送信する（ＳＪ８および、ＳＪ９）。
【０３７８】
　前記のデータを受信したサービスサイト１０４は、サービス内容特定手段により、錠付き戸棚３１の格納庫１９＃１を解錠させる要求を特定する（ＳＪ１０）。
【０３７９】
　次に、サービスサイト１０４は、前記のデータを送信した公衆無線通信端末１０２に対して解錠時に使用する暗証番号の入力の指示を送信する（ＳＪ１１）。
【０３８０】
　公衆無線通信端末３０は、前記により受信した暗証番号の入力指示をディスプレイ２４に表示する（ＳＪ１２）。
【０３８１】
　公衆無線通信端末１０２の所有者は、キーボード２３から暗証番号を入力し、サービスサイト１０４へ送信する（ＳＪ１３）。
【０３８２】
　サービスサイト１０４は、前記により受信した公衆無線通信端末１０２のメールアドレスと暗証番号を解錠条件記憶部４５に登録する（ＳＪ１４）。
【０３８３】
　サービスサイト１０４は錠付き戸棚３１の格納庫１９＃１の利用ランプ３２＃１を点滅させ、解錠する指令を錠付き戸棚３１に送信し、錠付き戸棚３１の格納庫１９＃１の対応する利用状態記憶部のデータを利用開始のデータに書き換える（ＳＪ１５）。
【０３８４】
　錠付き戸棚３１は格納庫１９＃１を解錠し、該当する利用ランプ３２＃１を点滅する（ＳＪ１６）。
【０３８５】
　公衆無線通信端末１０２の所有者は、格納庫１９＃１を開いて品物を格納し扉を閉じる。
【０３８６】
　錠付き戸棚３１は格納庫１９＃１の扉が閉じられたことを検出し、該検出結果をサービスサイト１０４に送信する。サービスサイト１０４は、前記の検出結果を受信し、該当する格納庫１９＃１を施錠し、利用ランプ３２＃１を点灯する指令を錠付き戸棚３１に送信する。錠付き戸棚３１は格納庫１９＃１を施錠し、利用ランプ３２＃１を点灯する（ＳＪ１７〜ＳＪ１９）。
【０３８７】
　次に、錠付き戸棚３１の格納庫１９＃１を解錠し格納中の品物を取り出す場合を説明する。
【０３８８】
　前記の品物を格納し施錠する場合と同様に、公衆無線通信端末１０２はサービスサイト１０４へ、サービスサイト１０４において処理すべきサービス内容を特定する情報としての格納庫１９＃１を解錠させる要求、および、サービス提供マシンに固有のマシンアドレス情報としての錠付き戸棚ごと格納庫ごとに固有のロッカーアドレス情報のデータを送信する（ＳＪ２０〜ＳＪ２４）。
【０３８９】
　前記のデータを受信したサービスサイト１０４は、サービス内容特定手段により、処理すべきサービス内容として錠付き戸棚３１の格納庫１９＃１の解錠の要求を特定する（ＳＪ２５）。
【０３９０】
　次に、サービスサイト１０４は、前記のデータを送信した公衆無線通信端末１０２に対して暗証番号の入力の指示を送信する（ＳＪ２６）。
【０３９１】
　公衆無線通信端末１０２は、前記により受信した暗証番号の入力指示をディスプレイ２４に表示する（ＳＪ２７）。
【０３９２】
　公衆無線通信端末１０２の所有者は、キーボード２３から暗証番号を入力し、サービスサイト１０４へ送信する（ＳＪ２９）。
【０３９３】
　サービスサイト１０４は、前記により受信した公衆無線通信端末１０２の電子メールアドレスと、暗証番号を解錠条件記憶部４５に登録されているメールアドレスと、暗証番号と照合する（ＳＪ２９）。
【０３９４】
　サービスサイト１０４は、前記の照合が合致すると、錠付き戸棚３１の格納庫１９＃１の利用ランプ３２＃１を点滅し、解錠する指令を錠付き戸棚３１に送信する（ＳＪ３０）。
【０３９５】
　錠付き戸棚３１は、格納庫１９＃１の利用ランプ３２＃１を点滅させ、解錠する（ＳＪ３１）。
【０３９６】
　公衆無線通信端末１０２の所有者は、錠付き戸棚３１の利用ランプが点滅中の格納庫１９＃１の扉を開き、品物を取り出し、扉を閉じる。
【０３９７】
　錠付き戸棚３１は格納庫１９＃１の扉が閉じられたことを検出し、該検出結果をサービスサイト１０４に送信する。サービスサイト１０４は、前記の検出結果を受信し、該当する格納庫１９＃１を施錠する指令を錠付き戸棚３１に送信する。錠付き戸棚１１はサービスサイト４０から前記指令を受信し、格納庫１９＃１を施錠する（ＳＪ３２〜ＳＪ３４）。
【０３９８】
　次に、サービスサイト１０４は公衆無線通信端末１０２へ、格納庫１９＃１を引き続き利用するか解放するかの意思を確認するための電子メールを送信する（ＳＪ３５）。
【０３９９】
　公衆無線通信端末１０２は、前記の意思確認の電子メールを受信し、表示する（ＳＪ３６）。
【０４００】
　公衆無線通信端末１０２の所有者は、引き続き利用するか解放するかを決め、解放の意思をあらわすデータ、もしくは、引き続き利用の意思をあらわすデータを入力し電子メールでサービスサイト１０４へ返信する（ＳＪ３７）。
【０４０１】
　サービスサイト１０４は、公衆無線通信端末１０２から解放の意思を表す電子メールを受信した場合は、錠付き戸棚３１へ格納庫１９＃１の利用ランプ３２＃１を滅灯させる指令を送信し、対応する利用状態記憶部のデータを利用完了を表すデータで書き換える（ＳＪ３９）。
【０４０２】
　サービスサイト１０４は、公衆無線通信端末１０２から引き続き利用の意思を表す電子メールを受信した場合は、錠付き戸棚３１へ格納庫１９＃１の利用ランプ３２＃１を点灯させる指令を送信する（ＳＪ４０）。
【０４０３】
　錠付き戸棚３１は、前記の指令に基づき、格納庫１９＃１の利用ランプ３２＃１を滅灯、もしくは、点灯する（ＳＪ４１）。
【０４０４】
　本発明により、本発明の第１９の実施の形態で説明したサービス起動システムにおいて、公衆無線通信端末１０２の所有者は、錠付き戸棚３１の特定の格納庫をいったん利用開始したならば、自らの意思で解放するまで何度でも施錠もしくは解錠を繰り返すことによって同一の格納庫を引き続き利用することを可能にする。
【０４０５】
　次に、本発明の第２１の実施の形態について説明する。
【０４０６】
　本発明のサービス起動システムは、本発明の第２０の実施の形態で説明したサービス起動システムであって、前記サービス提供マシン１０としての錠付き戸棚３１の格納庫１９ごとの利用料金の算出手段として、本発明の第１７の実施の形態で説明したサービス起動システムの料金算出手段を備えて構成する。
【０４０７】
　本発明のサービス起動システムを構成するサービスサイト１０４は、本発明の第２０の実施の形態で説明した図４４のＳＪ１５にて、錠付き戸棚３１の格納庫１９＃１の対応する利用状態記憶部のデータを利用開始を表すデータで書き換えるとき、本発明の第１７の実施の形態で説明した利用時間算出手段により、時計機構２９から取得した時刻データもしくはサービスサイト１０４に備える時計機構２９による時刻データから錠付き戸棚３１の格納庫１９＃１の利用開始時刻Ｔ１を決定する。
【０４０８】
　また、サービスサイト１０４は、本発明の第２０の実施の形態で説明した図４８のＳＪ３９にて、錠付き戸棚３１の格納庫１９＃１の対応する利用状態記憶部のデータを利用完了を表すデータで書き換えるとき、時計機構２９から取得した時刻データもしくはサービスサイト１０４に備える時計機構２９による時刻データから錠付き戸棚３１の格納庫１９＃１の利用完了時刻Ｔ２を決定し、前記の利用開始時刻Ｔ１と利用完了時刻Ｔ２とから利用時間を算出し、料金算出手段により、前記利用時間から所定の利用料金を算出する。
【０４０９】
　本発明により、錠付き戸棚３１の格納庫１９を、施錠、並びに、解錠を繰り返して使用する場合に、錠付き戸棚３１の格納庫１９ごとの利用料金の算出が可能になる。
【０４１０】
　次に、本発明の第２２の実施の形態について説明する。
【０４１１】
　本発明のサービス起動システムは、本発明の第１９の実施の形態で説明したサービス起動システムであって、サービスサイト１０４と公衆無線通信端末１０２との間で交信を行う利用者通信手段を備えて構成する。前記の利用者通信手段は、例えば、携帯電話などの移動体通信と公衆網を利用し電子メールで交信を行う機能をサービスサイト１０４と公衆無線通信端末１０２に備えて構成できる。
【０４１２】
　また、サービスサイト１０４には、錠付き戸棚３１ごと格納庫１９ごとに解錠を行う利用者の必要条件のデータを記憶する解錠条件記憶部４５を備えて構成する。前記の解錠条件記憶部４５は、図４１に例示するように錠付き戸棚の格納庫のロッカーアドレス、錠付き戸棚３１ごと格納庫１９ごとの解錠を行うことが出来る利用者が使用する公衆無線通信端末１０２の電子メールアドレスや暗証番号などのデータを記憶する。
【０４１３】
　また、サービスサイト１０４には、解錠者設定手段を備えて構成する。前記の解錠者設定手段はサービスサイト１０４のプログラムにより構成でき、例えば、前記解錠条件記憶部４５に記憶されたデータを満たす利用者が、新たな利用者を解錠を行うべき者と認定し、前記の利用者通信手段を通してサービスサイト１０４へ、前記解錠条件記憶部４５に例示するように錠付き戸棚３１の格納庫１９のロッカーアドレスに記憶されている解錠を行うことが出来る利用者の必要条件を新たな利用者の必要条件に書き換える要求を電子メールで送信したとき、サービスサイト１０４が前記の電子メールで通知された電子メールアドレスへ新たに解錠を行うべき者になるか否かの問い合わせの電子メールを送信し、前記の電子メールを受けた利用者から新たに解錠を行うべき者になるとの電子メールの返信を受けたとき、サービスサイト１０４が前記の解錠条件記憶部４５に記憶されているデータを新たに解錠を行うべき者の電子メールアドレスや暗証番号などのデータで書き換える機能を含んで構成される。
【０４１４】
　次に、動作を説明する。
【０４１５】
　錠付き戸棚３１の格納庫１９＃１を施錠し、前記の解錠条件記憶部４５に公衆無線通信端末１０２のメールアドレスと暗証番号を記憶させた利用者が、前記の錠付き戸棚３１の格納庫１９＃１の解錠を別人に行わせる場合は、先ず、新たに解錠を行うべき者と認定した利用者の公衆無線通信端末１０２の電子メールアドレスを利用者通信手段を通してサービスサイト１０４へ電子メールで通知する。
【０４１６】
　サービスサイト１０４は、前記電子メールで通知された電子メールアドレスへ新たに解錠を行うべき者になるか否かの問い合わせの電子メールを送信する。
【０４１７】
　前記の電子メールを受信した利用者が、新たに解錠を行うべき者になることを認める場合は、格納庫の解錠に使用する自己の暗証番号を含めた電子メールをサービスサイト１０４へ返信する。
【０４１８】
　サービスサイト１０４は前記の電子メールにもとづき、前記解錠条件記憶部４５に記憶されている解錠を行うことが出来る利用者の公衆無線通信端末１０２の電子メールアドレスや暗証番号を書き換える。
【０４１９】
　前記により解錠条件記憶部４５に錠付き戸棚３１ごと格納庫１９ごとに解錠を行う利用者の必要条件を記憶された者は、前記の錠付き戸棚３１の格納庫１９を解錠可能になり、また、前記の動作により、利用者通信手段を通して、新たに解錠を行うべきと認定し、かつ自らも認めた利用者を対象として解錠条件記憶部４５を書き換え可能になる。
【０４２０】
　本発明により、錠付き戸棚３１の利用者は、サービスサイト１０４の錠付き戸棚３１ごと格納庫１９ごとに解錠を行う利用者の必要条件を記憶する解錠条件記憶部４５を利用者通信手段を通して書き換えることによって、新たに解錠を行うべきと認定し、かつ自らも認めた利用者に解錠させることが可能になる。
【０４２１】
　次に、本発明の第２３の実施の形態について説明する。
【０４２２】
　図４９は本発明の第２３の実施の形態を説明するシステムの構成を例示するブロック図である。図５０は配送伝票の構成例を示す図である。また、図５０は収集物を特定するサービス、（２）特定された収集物を収集開始させるサービス、（３）収集した物を錠付き戸棚の格納庫へ格納保管するサービス、および、（４）格納保管された収集物を公衆無線通信端末の所有者へ受け渡すサービス、の４つのサービス内容の相互関係と主な情報の流れを例示する図である。図５１は、現物データベースの構成を例示する図である。図５２は配送伝票ファイルの構成を例示する図である。図５３は業者データベースの構成を例示する図である。図５４〜図６８はシステムの動作の流れを例示するフローチャートである。
【０４２３】
　図４９を参照すると、本発明のサービス起動システム１５０は、本発明の第１、または、第２、または、第３の実施の形態で説明したサービス起動システムであって、前記サービス提供マシン１０として錠付き戸棚３１を備えて構成する。前記錠付き戸棚３１は、複数個の格納庫１９を備え、各格納庫１９ごとに無線タグ１０１を貼付して構成する。また、本発明のサービス起動システム１５０は、展示している現物３３もしくは現物３３に対応する場所に無線タグ１０１を貼付して構成し、前記無線タグ１０１に公衆無線通信端末１０２の無線タグ読み取り口２８をかざしたときに送出される無線タグ１０１の送出データに、展示中の現物３３もしくは現物３３の対応する場所に固有の展示アドレス情報を含めるように構成する。
【０４２４】
　また、本発明のサービス起動システムは、前記の無線タグ１０１の送出データから特定するサービスサイト１０４において前記展示アドレス情報から特定する前記展示中の現物３３と同等の物３４を収集する収集手段を備えて構成する。前記の収集手段は、前記展示アドレス情報にもとづき、展示中の現物３３と同等の物３４に固有に付与されたバーコードを含む配送伝票５４を作成し、該配送伝票５４に記載されたバーコードの現物３３と同等の物３４を倉庫３５から取り出し収集する。
【０４２５】
　図５０は配送伝票５４の構成例を示し、伝票番号、伝票番号のバーコード、収集した物の受け渡し場所、受け渡し品の品名とバーコードと数量が記載されている。
【０４２６】
　また、本発明のサービス起動システム１５０は、前記の収集手段によって収集した物を前記の配送伝票５４の受け渡し場所に記載されている錠付き戸棚３１へ格納保管する格納保管手段を備えて構成する。
【０４２７】
　また、本発明のサービス起動システム１５０は、前記の格納保管手段を通して錠付き戸棚３１へ格納保管した前記の収集物を、公衆無線通信端末１０２の所有者へ受け渡す手段を備えて構成する。
【０４２８】
　次に、動作を説明する。
【０４２９】
　図５１に例示するように、無線タグ１０１の送出データから特定されるサービスサイト１０４に於いて処理すべきサービス内容は、（１）収集物を特定するサービス、および、（２）特定された収集物を収集開始させるサービス、および、（３）収集した物を錠付き戸棚の格納庫へ格納保管するサービス、および、（４）格納保管された収集物を公衆無線通信端末の所有者へ受け渡すサービス、の４つのサービス内容から構成される。
【０４３０】
　サービスサイト１０４は、図５１に例示するように、前記の４つのサービス内容に対して、現物データベース４２、配送伝票ファイル４３、業者データベース４４、解錠条件記憶部４５を備えて使用する。現物データベース４２は、図５２に例示するように展示アドレス、展示中の現物３３と同等の物３４に付与されたバーコード、および、品名のデータを記憶している。また、配送伝票ファイル４３は、図５３に例示するように伝票番号、伝票番号のバーコード、収集した物の受け渡し場所となるロッカーアドレス、公衆無線通信端末１０２（所有者用）の電子メールアドレス、および、収集した展示アドレスのデータを記憶している。また、業者データベース４４は、図５４に例示するように公衆無線通信端末１０２（業者用）の電子メールアドレスのデータを記憶している。また、解錠条件記憶部４５は、図４１に例示するように錠付き戸棚３１の格納庫１９のロッカーアドレス、公衆無線通信端末１０２（所有者用）の電子メールアドレス、および、暗証番号のデータを記憶している。
【０４３１】
　はじめに、サービスサイトに於いて処理すべきサービス内容の（１）収集物を特定するサービスについて動作を説明する。
【０４３２】
　現物３３＃１もしくは現物３３＃１の対応する場所に貼付した無線タグ１０１を無線タグ１０１＃展１とし、同様に順次、現物３３＃ｎもしくは現物３３＃ｎの対応する場所に貼付した無線タグ２０を無線タグ２０＃展ｎとして以下の説明を行う。また、無線タグ２０＃展ｎの送出データに含まれる展示アドレス情報は展示アドレス情報＃ｎとして説明する。
【０４３３】
　図５５乃至図５７を参照すると、公衆無線通信端末１０２の所有者が、先ず、公衆無線通信端末１０２（所有者用）の無線タグ読み取り口２８を、展示している現物３３＃１もしくは現物３３＃１に対応する場所に貼付された無線タグ１０１＃展１にかざすと、サービスサイト１０４のアドレスを特定する情報、および、サービスサイト１０４において処理すべきサービス内容を特定する情報としての展示アドレス情報＃１を含むデータが、無線タグ１０１＃展１から公衆無線通信端末１０２（所有者用）へ送出される（ＳＫ３〜ＳＫ５）。
【０４３４】
　公衆無線通信端末１０２（所有者用）は、アドレス特定手段により、無線タグ１０１＃展１の送出データに含まれるサービスサイト１０４のアドレスを特定する情報から、サービスサイト１０４のアドレスを特定し、特定されたアドレスのサービスサイト１０４へサービスサイト１０４において処理すべきサービス内容（収集物を特定するサービス）を特定する情報としての展示アドレス情報＃１を含むデータを送信する（ＳＫ６、およびＳＫ７）。
【０４３５】
　サービスサイト１０４は、公衆無線通信端末１０２（所有者用）から送信されたデータに含まれるサービスサイト１０４において処理すべきサービス内容を特定する情報からサービス内容特定手段により収集物を特定するサービス内容を特定する（ＳＫ８）。
【０４３６】
　前記で特定したサービス内容において、展示アドレス情報＃１から展示アドレス＃１を特定し、公衆無線通信端末１０２（所有者用）の電子メールアドレスと共に、配送伝票ファイル４３に格納する（ＳＫ９）。
【０４３７】
　同様に、公衆無線通信端末１０２（所有者用）の無線タグ読み取り口２８を、展示している現物３３＃ｎもしくは現物に対応する場所に貼付された無線タグ１０１＃展ｎにかざすと、サービスサイト１０４は、展示アドレス＃ｎを特定し、配送伝票ファイル４３に追加格納する（ＳＫ１０〜ＳＫ１６）。
【０４３８】
　次に、サービスサイトに於いて処理すべきサービス内容の（２）特定された収集物を収集開始するサービスについて説明する。
【０４３９】
　図５８乃至図６１を参照すると、公衆無線通信端末１０２の所有者が、前記の公衆無線通信端末１０２（所有者用）の無線タグ読み取り口２８を、展示している現物３３＃ｎもしくは現物３３＃ｎに対応する場所に貼付された無線タグ１０１＃展ｎにかざす操作の完了を、現物３３もしくは現物３３に対応する場所に貼付された無線タグ１０１とは別に設けた無線タグ１０１＃Ｓ（収集開始要求）に前記の公衆無線通信端末１０２（所有者用）の無線タグ読み取り口２８をかざすことによって行う。
【０４４０】
　前記の無線タグ１０１＃Ｓ（収集開始要求）は、公衆無線通信端末１０２の無線タグ読み取り口２５をかざしたときに無線タグ１０１＃Ｓ（収集開始要求）から送出されるデータに、サービスサイト１０４において処理すべきサービス内容を特定する情報として収集開始要求を表す情報を含めて構成する。
【０４４１】
　前記の操作の完了は、公衆無線通信端末１０２の所有者が公衆無線通信端末１０２のキーボード２３から所定のデータを入力し前記のサービスサイト１０４へ送信する方法によりサービスサイト１０４へ知らせるようにしてもよい。
【０４４２】
　公衆無線通信端末１０２の所有者が、公衆無線通信端末１０２（所有者用）の無線タグ読み取り口２８を、無線タグ１０１＃Ｓ（収集開始要求）にかざすと、前記と同様に、サービスサイト１０４は、サービス内容としての収集開始要求を特定する（ＳＬ２〜ＳＬ７）。
【０４４３】
　サービスサイト１０４は、前記により、サービスサイト１０４において処理すべきサービス内容を特定する情報として収集開始要求を特定すると、収集した物を公衆無線通信端末１０２の所有者へ受け渡すために格納保管する錠付き戸棚３１の候補のロッカーアドレス情報を公衆無線通信端末１０２（所有者用）へ送信し表示させることによって、公衆無線通信端末１０２の所有者に知らせる（ＳＬ８およびＳＬ９）。
【０４４４】
　公衆無線通信端末１０２の所有者は、前記の表示されたロッカーアドレス情報の中から収集物の受け渡しに便利な錠付き戸棚３１を１つ選択しサービスサイト１０４へ送信する（ＳＬ１０）。
【０４４５】
　以下の動作の説明では、一例として、公衆無線通信端末１０２の所有者が、前記において、錠付き戸棚３１を選択し、サービスサイト１０４が、そのとき錠付き戸棚３１の中で空いている格納庫１９の中から格納庫１９＃１を受け渡し用に確保する場合を説明する。
【０４４６】
　初期状態として、サービスサイト１０４は、利用状態記憶部の中の錠付き戸棚３１の格納庫１９＃１の利用状態を表すデータを利用完了を表すデータで書き換え、錠付き戸棚３１の格納庫１９＃１を施錠し、該当する利用ランプ３２＃１を滅灯する指令を錠付き戸棚３１へ送信し、錠付き戸棚３１は錠付き戸棚３１の格納庫１９＃１を施錠し、該当する利用ランプ３２＃１を滅灯しているものとする（ＳＬ１１、およびＳＬ１２）。
【０４４７】
　サービスサイト１０４は、受信したロッカーアドレス情報の錠付き戸棚３１へ格納庫１９＃１の利用ランプ３２＃１を点灯する指令を送信し、対応する利用状態記憶部のデータを利用開始のデータで書き換える（ＳＬ１４）。
【０４４８】
　錠付き戸棚３１は格納庫１９＃１の該当する利用ランプ３２＃１を点灯する（ＳＬ１４）。
【０４４９】
　サービスサイト１０４は、前記の公衆無線通信端末１０２（所有者用）へ錠付き戸棚３１を解錠するとき使用する暗証番号の入力指示を送信し表示させる（ＳＬ１６、およびＳＬ１７）。
【０４５０】
　公衆無線通信端末３０（所有者用）の所有者は、暗証番号を入力し、サービスサイト４０へ送信する（ＳＬ１８）。
【０４５１】
　サービスサイト１０４は、錠付き戸棚３１の格納庫１９＃１に対応する解錠条件記憶部４５のデータを公衆無線通信端末１０２（所有者用）の電子メールアドレスと所有者の暗証番号で書き換える（ＳＬ１９）。
【０４５２】
　サービスサイト１０４は、前記で決定した錠付き戸棚３１の格納庫１９＃１のロッカーアドレス情報を配送伝票ファイル４３の公衆無線通信端末１０２（所有者用）の書き込み済み電子メールアドレスに対応させて追加格納する（ＳＬ２０）。
【０４５３】
　サービスサイト１０４は、配送伝票ファイル４３の展示アドレス情報＃１、および、展示アドレス情報＃ｎの情報をもとに、現物データベース４２を索引し、展示中の現物３３と同等の物３４の品名と付与されているバーコード情報を取得する（ＳＬ２１）。
【０４５４】
　サービスサイト１０４は、前記で取得した展示中の現物３３と同等の物３４の品名とバーコードの他に、収集する数量、前記により決定した収集物を格納保管する錠付き戸棚３１の格納庫１９＃１のロッカーアドレス、および、配送伝票の一連番号とそのバーコードなどを表記した配送伝票５４を作成する（ＳＬ２２）。
【０４５５】
　配送伝票５４に表記された展示中の現物と同等の物３４＃１と、展示中の現物と同等の物３４＃ｎが、該配送伝票５４に表記された数量だけ倉庫５２から収集され、収集した物５３に該配送伝票５４が貼付される。
【０４５６】
　次に、サービスサイトに於いて処理すべきサービス内容の（３）収集した物を錠付き戸棚の格納庫へ格納保管するサービスについて説明する。
【０４５７】
　図６２乃至図６９を参照すると、前記の配送伝票５４を貼付された収集した物５３は、格納保管手段により、該配送伝票５４で特定される本発明の第１９の実施の形態で説明した錠付き戸棚３１の格納庫１９＃１へ格納保管される。以下に格納保管の動作の流れを説明する。
【０４５８】
　格納保管する業者は、前記の配送伝票５４を貼付された収集した物５３を受け取り、前記の配送伝票５４に表記されている錠付き戸棚３１の格納庫１９＃１を探し、前記の公衆無線通信端末１０２（業者用）の無線タグ読み取り口２８を錠付き戸棚３１の格納庫１９＃１に貼付された無線タグ１０１＃１に対してかざす（ＳＭ１）。
【０４５９】
　本発明の第１９の実施の形態で説明したと同様に、無線タグ１０１＃１は、メモリ１３からサービスサイト１０２のアドレスを特定する情報、サービスサイト１０４において処理すべきサービス内容を特定する情報、サービス提供マシン１０に固有のマシンアドレス情報（錠付き戸棚３１ごと格納庫１９ごとに固有のロッカーアドレス情報）を含むデータを読み出し、無線タグ読み取り口２８へ送出する（ＳＭ２）。
【０４６０】
　公衆無線通信端末１０２（業者用）は、前記にて無線タグ１０１＃１から送出されたデータを無線タグ読み取り口２８から取得しクリック音をならす。また、アドレス特定手段により、無線タグ１０１＃１の送出データに含まれるサービスサイト１０４のアドレスを特定する情報からサービスサイト１０４のアドレスを特定し、特定されたアドレスのサービスサイト４０へ、サービスサイト１０４において処理すべきサービス内容を特定する情報、サービス提供マシンに固有のマシンアドレス情報としての錠付き戸棚３１のロッカーアドレス情報を含むデータを送信する（ＳＭ３〜ＳＭ５）。
【０４６１】
　前記公衆無線通信端末１０２（業者用）から送信されたデータに含まれるサービスサイト１０４において処理すべきサービス内容を特定する情報、および、サービス提供マシン１０に固有のマシンアドレス情報としての錠付き戸棚３１の格納庫１９＃１のロッカーアドレス情報を受信したサービスサイト１０４は、サービス内容特定手段により処理すべきサービス内容を特定し、受信した公衆無線通信端末１０２の電子メールアドレスが、図５３に例示する業者データベース４４に登録されている公衆無線通信端末１０２（業者用）の電子メールアドレスか、或いは配送伝票ファイル４３へ登録されている公衆無線通信端末１０２（所有者用）の電子メールアドレスかを確認し、サービスサイト１０４は、公衆無線通信端末１０２（業者用）の電子メールであることが確認されたならば、処理すべきサービス内容が錠付き戸棚の格納庫へ格納保管するサービスであることを特定する（ＳＭ６、およびＳＭ７）。
【０４６２】
　次に、サービスサイト１０４は、配送伝票５４の伝票番号（バーコード）の入力指示を公衆無線通信端末１０２（業者用）へ送信し表示させる（ＳＭ８、およびＳＭ９）。
【０４６３】
　業者は、配送伝票５４の伝票番号（バーコード）を公衆無線通信端末１０２（業者用）へ入力し、サービスサイト１０４へ送信する（ＳＭ１０）。
【０４６４】
　サービスサイト１０４は、受信した配送伝票５４の伝票番号（バーコード）から配送伝票ファイル４３を索引することにより、サービス内容特定情報と共に受信したロッカーアドレス情報から特定されるロッカーアドレスが前記により索引されたロッカーアドレスと一致することを確認する（ＳＭ１１、およびＳＭ１２）。
【０４６５】
　サービスサイト１０４は、前記の確認がとれると、錠付き戸棚３１の格納庫１９＃１の利用ランプ３２＃１を点滅し、解錠する指令を錠付き戸棚３１に送信する（ＳＭ１３）。
【０４６６】
　錠付き戸棚３１は、前記の指令にもとづき、格納庫１９＃１の利用ランプ３２＃１を点滅させ、解錠する（ＳＭ１４）。
【０４６７】
　業者が格納庫１９＃１を開いて収集した物５３を格納し扉を閉じると、錠付き戸棚３１は格納庫１９＃１の扉が閉じられたことをサービスサイト４０へ通知する（ＳＭ１５）。
【０４６８】
　サービスサイト１０４は、扉が閉じられた通知を受信し、錠付き戸棚１１の格納庫１１１＃１を施錠し、該当する利用ランプ１１１２＃１を点灯する指令を送信する（ＳＭ１６）。
【０４６９】
　錠付き戸棚３１は、格納庫１９＃１を施錠し、該当する利用ランプ３２＃１を点灯する（ＳＭ１７）。
【０４７０】
　サービスサイト１０４は、配送伝票ファイル４３の電子メールアドレスから公衆無線通信端末１０２（所有者用）へ錠付き戸棚３１の格納庫１９＃１に収集物が格納保管されたことを通知する電子メールを送信する（ＳＭ１８）。
【０４７１】
　次に、サービスサイトに於いて処理すべきサービス内容の（４）格納保管された収集物を公衆無線通信端末の所有者へ受け渡すサービスについて説明する。
【０４７２】
　公衆無線通信端末１０２（所有者用）は前記の電子メールを受信し表示する（ＳＭ１９）。
【０４７３】
　公衆無線通信端末１０２（所有者用）の所有者は、前記の電子メールで通知された錠付き戸棚３１の格納庫１９＃１を探し、公衆無線通信端末１０２（所有者用）の無線タグ読み取り口２８を無線タグ１０１＃１に対してかざす（ＳＭ２０）。
【０４７４】
　無線タグ１０１＃１は、メモリ１３からサービスサイト１０４のアドレスを特定する情報、サービスサイト１０４において処理すべきサービス内容を特定する情報、サービス提供マシン１０に固有のマシンアドレス情報（錠付き戸棚３１ごと格納庫１９ごとに固有のロッカーアドレス情報）を含むデータを読み出し無線タグ読み取り口２８へ送出する（ＳＭ２２１）。
【０４７５】
　公衆無線通信端末１０２（所有者用）は、前記にて無線タグ１０１＃１から送出されたデータを無線タグ読み取り口２８から取得しクリック音をならす。また、アドレス特定手段により、無線タグ１０１＃１の送出データに含まれるサービスサイト１０４のアドレスを特定する情報からサービスサイト１０４のアドレスを特定し、特定されたアドレスのサービスサイト１０４へ、サービスサイト１０４において処理すべきサービス内容を特定する情報、サービス提供マシンに固有のマシンアドレス情報としての錠付き戸棚３１のロッカーアドレス情報を含むデータを送信する（ＳＭ２２〜ＳＭ２４）。
【０４７６】
　前記公衆無線通信端末１０２（所有者用）から送信されたデータに含まれるサービスサイト１０４において処理すべきサービス内容を特定する情報、および、サービス提供マシン１０に固有のマシンアドレス情報としての錠付き戸棚３１の格納庫１９＃１のロッカーアドレス情報を受信したサービスサイト１０４は、サービス内容特定手段により、処理すべきサービス内容を特定し、受信した公衆無線通信端末１０２の電子メールアドレスが、業者データベース４４に登録されている公衆無線通信端末１０２（業者用）の電子メールアドレスか、配送伝票ファイル４３に登録されている公衆無線通信端末１０２（所有者用）の電子メールアドレスかを確認する。
【０４７７】
　サービスサイト１０４は、公衆無線通信端末３０（所有者用）の電子メールアドレスであることが確認されたならば、錠付き戸棚３１の格納庫１９＃１ロッカーアドレス情報から対応する利用状態記憶部の利用状態を表すデータが利用開始のデータであることから、処理すべきサービス内容が錠付き戸棚の格納庫から公衆無線通信端末の所有者へ受け渡すサービスであることを特定する（ＳＭ２５、およびＳＭ２６）。
【０４７８】
　次に、サービスサイト１０４は公衆無線通信端末１０２（所有者用）へ暗証番号の入力の指示を送信し表示させる（ＳＭ２７、およびＳＭ２８）。
【０４７９】
　公衆無線通信端末１０２（所有者用）の所有者は、公衆無線通信端末１０２（所有者用）に暗証番号を入力しサービスサイト１０４へ送信する（ＳＭ２９）。
【０４８０】
　サービスサイト１０４は、受信した公衆無線通信端末１０２の電子メールアドレスと、暗証番号を錠付き戸棚３１の格納庫１９＃１に対応する解錠条件記憶部４５に登録されている電子メールアドレスと暗証番号とを照合する（ＳＭ３０）。
【０４８１】
　サービスサイト１０４は、前記の照合が一致すると、錠付き戸棚３１の格納庫１９＃１の利用ランプ３２＃１を点滅し、解錠する指令を錠付き戸棚３１に送信する（ＳＭ３１）。
【０４８２】
　錠付き戸棚３１は、前記の指令にもとづき、格納庫１９＃１の利用ランプ３２＃１を点滅させ、解錠する（ＳＭ３２）。
【０４８３】
　公衆無線通信端末１０２（所有者用）の所有者は、格納庫１９＃１の扉を開いて収集物を取り出し扉を閉じると、錠付き戸棚３１は格納庫１９＃１の扉が閉じられたことをサービスサイト４０へ通知する（ＳＭ３３）。
【０４８４】
　サービスサイト１０４は、扉が閉じられた通知を受信し、錠付き戸棚３１の格納庫１９＃１を施錠し、該当する利用ランプ３２＃１を滅灯する指令を送信し、錠付き戸棚３１の格納庫１９＃１の対応する利用状態記憶部の利用状態を表すデータを利用完了のデータに書き換える（ＳＭ３４）。
【０４８５】
　錠付き戸棚３１は、格納庫１９＃１を施錠し、該当する利用ランプ３２＃１を滅灯する（ＳＭ３５）。
【０４８６】
　本発明により、展示している現物もしくは現物の対応する場所に貼付した無線タグに公衆無線通信端末の無線タグ読み取り口をかざすだけで、展示中の現物と同等の物が収集されて錠付き戸棚を通して受け取り可能になる。
【０４８７】
　次に本発明の第２４の実施の形態について説明する。
【０４８８】
　本発明のサービス起動システムは、本発明の第２３の実施の形態について説明したサービス起動システムであって、前記の展示している現物を商店で販売中の商品に置き換えて構成する。また、前記の無線タグ１０１＃Ｓ（収集開始要求）を商店の支払いカウンタに貼付し、前記の無線タグ１０１＃Ｓ（収集開始要求）に公衆無線通信端末１０２（所有者用）の無線タグ読み取り口２８をかざすと、サービスサイト１０４が商品の代金を集計し、ＰＯＳ端末から代金の支払い完了の通知を受けて本発明の第２３の実施の形態について説明した配送伝票５４を作成し収集手段９０に渡すように構成する。
【０４８９】
　次に本発明の第２５の実施の形態について説明する。
【０４９０】
　本発明のサービス起動システムは、本発明の第２３の実施の形態について説明したサービス起動システムであって、前記の展示している現物を展示会場の中で配布しているカタログその他資料に置き換えて構成する。また、前記の無線タグ１０１＃Ｓ（収集開始要求）は展示会場の出口に貼付し、公衆無線通信端末１０２（所有者用）が展示会場から退出するとき、前記の無線タグ２０＃Ｓ（収集開始要求）に公衆無線通信端末１０２（所有者用）の無線タグ読み取り口をかざすように構成する。また、前記のように、公衆無線通信端末３０の所有者が公衆無線通信端末１０２のキーボード２３から所定のデータを入力し前記のサービスサイト１０４へ送信する方法により操作の完了をサービスサイト１０４へ知らせるように構成する。
【０４９１】
　次に、本発明の第２６の実施の形態について説明する。
【０４９２】
　本発明のサービス起動システムは、本発明の第１４の実施の形態について説明したサービス起動システムであって、サービス提供マシン１０を自動販売機とし、該自動販売機の展示商品に対応する場所ごとに無線タグ１０１を貼付して構成する。
【０４９３】
　また、前記の展示商品に対応する場所ごとの無線タグ１０１のメモリ１３に書き込むデータには、前記の展示商品に対応する商品アドレス情報を含め、該無線タグ１０１に公衆無線通信端末１０２の無線タグ読み取り口２８をかざしたときに送出される無線タグ１０１の送出データに前記の商品アドレス情報が含まれるように構成する。
【０４９４】
　また、前記無線タグ１０１の送出データから特定するサービスサイト１０４には、前記商品アドレス情報から特定する商品を前記自動販売機の取り出し口へ排出する指令を自動販売機へ送信するプログラムを備えて構成する。
【０４９５】
　本発明の実施の形態の動作は、本発明の第１４の実施の形態で説明した動作と同様に行われる。
【０４９６】
　本発明により、自動販売機の展示商品に対応する場所ごとに貼付した無線タグに公衆無線通信端末の無線タグ読み取り口２８をかざすだけで、公衆無線通信端末１０２の所有者は、展示商品と同等の物を自動販売機から購入可能になる。
【０４９７】
　次に、本発明の第２７の実施の形態について説明する。
【０４９８】
　本発明のサービス起動システムは、本発明の第１４の実施の形態について説明したサービス起動システムであって、サービス提供マシン１０を駐車場のゲートを制御する制御ボックスとし、該制御ボックスに無線タグ１０１を貼付して構成する。
【０４９９】
　また、前記の制御ボックスに貼付する無線タグ１０１のメモリ１３に書き込むデータの中のサービスサイト１０４において処理すべきサービス内容を特定する情報には、前記制御ボックスに駐車場のゲートを開かせるサービスを特定する情報を含め、該無線タグ１０１に公衆無線通信端末１０２の無線タグ読み取り口２８をかざしたときに送出される無線タグ１０１の送出データの中に前記の制御ボックスに駐車場のゲートを開かせるサービスを特定する情報が含まれるように構成する。
【０５００】
　また、前記無線タグ１０１の送出データから特定するサービスサイト１０４には、前記の駐車場のゲートを制御する制御ボックスに対して、前記の制御ボックスに駐車場のゲートを開かせるサービスを特定する情報にもとづき、駐車場のゲートを開かせる指令を送信するプログラムを備えて構成する。
【０５０１】
　本発明の実施の形態の動作は、本発明の第１４の実施の形態で説明した動作と同様に行われる。
【０５０２】
　本発明により、駐車場のゲートを制御する制御ボックスに貼付した無線タグに公衆無線通信端末の無線タグ読み取り口をかざすだけで、制御ボックスに駐車場のゲートを開かせることが可能になる。
【０５０３】
　次に、本発明の第２８の実施の形態について説明する。
【０５０４】
　本発明のサービス起動システムは、本発明の第２７の実施の形態について説明したサービス起動システムであって、前記の制御ボックスを駐車場へ入る側と駐車場を出る側に設置して構成する。
【０５０５】
　また、前記の制御ボックスに貼付する無線タグ１０１のメモリ１３に書き込むデータの中のサービスサイト１０４において処理すべきサービス内容を特定する情報は、駐車場へ入る側に設置する制御ボックスに貼付する無線タグ１０１には、駐車場へ入る側に設置する制御ボックスに駐車場のゲートを開かせるサービスを特定する情報を含め、駐車場を出る側に設置する制御ボックスに貼付する無線タグ２０には、駐車場を出る側に設置する制御ボックスに駐車場のゲートを開かせるサービスを特定する情報を含めて構成する。
【０５０６】
　また、前記無線タグ１０１の送出データから特定するサービスサイト４０に、駐車場へ入る側に設置する制御ボックスに貼付する無線タグ１０１の送出データと、本発明の第４、または、第５の実施の形態について説明した時計機構による時刻データとによって利用開始時刻を決定するプログラムを備えて構成する。
【０５０７】
　また、前記サービスサイト１０４には、駐車場を出る側に設置する制御ボックスに貼付する無線タグ１０１の送出データと、本発明の第４、または、第５の実施の形態について説明した時計機構による時刻データとによって利用完了時刻を決定するプログラムを備えて構成する。
【０５０８】
　また、前記サービスサイト１０４には、前記の利用開始時刻と前記の利用完了時刻とから駐車場の利用時間を算出する利用時間算出手段を備えて構成する。前記の利用時間算出手段はサービスサイト１０４のプログラムにより構成できる。
【０５０９】
　また、サービスサイト４０は、前記の利用時間算出手段を通して算出する利用時間から前記駐車場の利用料金を算出する料金算出手段を備えて構成する。前記の料金算出手段はサービスサイト１０１のプログラムで構成できる。
【０５１０】
　本発明の実施の形態の動作は、本発明の第１４の実施の形態で説明した動作と同様に行われる。また、前記の利用開始時刻と利用完了時刻の決定、および、利用時間の算出、および、利用料金の算出は本発明の第１５の実施の形態で説明した動作と同様に行われる。
【０５１１】
　本発明により、駐車場へ入る側に設置された制御ボックス、または、駐車場を出る側に設置された制御ボックスに貼付した無線タグに公衆無線通信端末の無線タグ読み取り口をかざすだけで、駐車場へ入る側に設置された制御ボックス、または、駐車場を出る側に設置された制御ボックスに駐車場のゲートを開かせることが可能になる。また、サービスサイトは駐車場の利用時間と利用料金を算出可能になる。
【０５１２】
　次に、本発明の第２９の実施の形態について説明する。
【０５１３】
　本発明のサービス起動システムは、本発明の第１４の実施の形態について説明したサービス起動システムであって、サービス提供マシン１０を自動改札機とし、該自動改札機に無線タグ１０１を貼付して構成する。
【０５１４】
　また、前記の自動改札機に貼付する無線タグ１０１に書き込むデータの中のサービスサイト１０４において処理すべきサービス内容を特定する情報には、改札口アドレス情報を含め、前記無線タグ１０１に公衆無線通信端末１０２の無線タグ読み取り口２８をかざしたときに送出される無線タグ１０２の送出データの中に前記の改札口アドレス情報が含まれるように構成する。
【０５１５】
　また、無線タグ１０１から公衆無線通信端末３０へ送出されるデータから特定されるサービスサイト１０４には、前記公衆無線通信端末３０の所有者が前記改札口アドレス情報から特定する改札口を通過する条件を有するか否かを確認する条件確認手段を備えて構成する。
【０５１６】
　前記の条件確認手段はサービスサイト１０４のプログラムにより構成でき、例えば、サービスサイト１０４に前記公衆無線通信端末１０２の所有者の公衆無線通信端末１０２の電子メールアドレス、通過出来る改札口の場所、通過出来る期間などのデータを改札口を通過する条件として予め記憶させておき、サービスサイト１０４が本発明の第１４の実施の形態について説明した方法で無線タグ１０１の送出データに含まれる情報を受信すると、前記の情報を送信してきた公衆無線通信端末１０２の電子メールアドレスなどのデータにもとづいて、前記の記憶データを調べ、前記公衆無線通信端末１０２の所有者が公衆無線通信端末１０２の無線タグ読み取り口２８をかざした無線タグが貼付された改札口を通過する条件を有するか否かを確認する機能を備えて構成する。
【０５１７】
　また、サービスサイト１０４には、前記条件確認手段によって前記公衆無線通信端末の所有者が前記改札口を通過する条件を有することが確認されたならば、自動改札機に対して前記改札口のゲートを開ける指令を起動するプログラムを備えて構成する。
【０５１８】
　本発明の実施の形態の動作は、本発明の第１４の実施の形態で説明した動作と同様に行われる。
【０５１９】
　本発明により、公衆無線通信端末１０２の所有者が自動改札機ごとに貼付した無線タグに公衆無線通信端末１０２の無線タグ読み取り口２８をかざすだけで、サービスサイトは前記公衆無線通信端末１０２の所有者が、前記無線タグ１０１の送出データから特定される改札口を通過する条件を有するか否かを確認でき、前記改札口を通過する条件を有することが確認されたならば前記改札口のゲートを開ける指令を起動可能になる。
【０５２０】
　次に、本発明の第３０の実施の形態について説明する。
【０５２１】
　本発明のサービス起動システムは、本発明の第１４の実施の形態について説明したサービス起動システムであって、サービス提供マシン１０を錠管理を遠隔から行う錠付き入退室口とし、前記の錠管理を遠隔から行う錠付き入退室口に無線タグ１０１を貼付して構成する。
【０５２２】
　また、前記の錠管理を遠隔から行う錠付き入退室口に貼付する無線タグ１０１に書き込むデータの中のサービスサイト１０４において処理すべきサービス内容を特定する情報には、前記錠付き入退室口を特定する入退室口アドレス情報を含め、前記無線タグ１０１に公衆無線通信端末１０２の無線タグ読み取り口２８をかざしたときに送出される無線タグ１０１の送出データの中に前記の錠付き入退室口を特定する入退室口アドレス情報が含まれるように構成する。
【０５２３】
　また、無線タグ１０１から公衆無線通信端末１０２へ送出されるデータから特定されるサービスサイト１０４には、前記公衆無線通信端末１０２の所有者が前記の入退室口アドレス情報から特定する前記の入退室口を通過する条件を有するか否かを確認する条件確認手段を備えて構成する。
【０５２４】
　前記の条件確認手段はサービスサイト１０４のプログラムにより構成でき、例えば、サービスサイト１０４に前記公衆無線通信端末１０２の所有者の公衆無線通信端末１０２の電子メールアドレス、通過出来る錠付き入退室口、通過出来る期間などのデータを錠付き入退室口を通過する条件として予め記憶させておき、サービスサイト１０４が本発明の第１４の実施の形態について説明した方法で無線タグ１０１の送出データに含まれる情報を受信すると、前記の情報を送信してきた公衆無線通信端末１０２の電子メールアドレスなどのデータにもとづいて、前記の記憶データを調べ、前記公衆無線通信端末１０２の所有者が公衆無線通信端末１０２の無線タグ読み取り口２８をかざした無線タグが貼付された錠付き入退室口を通過する条件を有するか否かを確認する機能を備えて構成する。
【０５２５】
　また、サービスサイト１０４には、前記条件確認手段によって前記公衆無線通信端末１０２の所有者が前記錠付き入退室口を通過する条件を有することが確認されたならば、錠付き入退室口に対して錠を開ける指令を起動するプログラムを備えて構成する。
【０５２６】
　本発明の実施の形態の動作は、本発明の第１４の実施の形態で説明した動作と同様に行われる。
【０５２７】
　本発明により、公衆無線通信端末１０２の所有者が錠管理を遠隔から行う錠付き入退室口ごとに貼付した無線タグ１０１に公衆無線通信端末１０２の無線タグ読み取り口をかざすだけで、前記無線タグ１０１の送出データから特定するサービスサイトは、前記公衆無線通信端末１０２の所有者が前記無線タグの送出データから特定される錠付き入退室口を通過する条件を有するか否かを確認でき、前記錠付き入退室口を通過する条件を有することが確認されたならば前記錠付き入退室口の錠を開ける指令を起動可能になる。
【０５２８】
　次に、本発明の第３１の実施の形態について説明する。
【０５２９】
　本発明のサービス起動システムは、本発明の第１の実施の形態で説明したサービス起動システムであって、出勤用として用意した無線タグ１０１と退勤用として用意した無線タグ１０１を備えて構成する。
【０５３０】
　前記の出勤用として用意した無線タグ１０１と退勤用として用意した無線タグ１０１は送出データが違うように構成する。前記の出勤用として用意した無線タグ１０１と退勤用として用意した無線タグ１０１の送出データが違うように構成する方法は、例えば、本発明の第１の実施の形態で説明したサービス起動システムでは、無線タグ１０１に書き込むデータのうちのサービスサイト１０４において処理すべきサービス内容を特定する情報の中に、出勤用、または、退勤用の情報を含ませる方法がある。
【０５３１】
　また、前記無線タグ１０１の送出データから特定するサービスサイト１０４には、前記の出勤用として用意した無線タグ１０１、または、退勤用として用意した無線タグ１０１の送出データと、本発明の第４、または、第５の実施の形態について説明した時計機構による時刻データとによって出勤時刻、または、退勤時刻を決定するプログラムを備えて構成する。
【０５３２】
　また、前記サービスサイト１０４には、前記の出勤時刻と退勤時刻を記録する起動を行うプログラムを備えて構成する。
【０５３３】
　本発明により、公衆無線通信端末１０２の所有者が、出勤用として用意した無線タグ１０１、または、退勤用として用意した無線タグ１０１に公衆無線通信端末１０２の無線タグ読み取り口２８をかざすだけで、サービスサイトは前記の公衆無線通信端末１０２の所有者の出勤時刻、または、退勤時刻を決定可能になり、前記出勤時刻と前記退勤時刻を記録することが可能になる。
【産業上の利用可能性】
【０５３４】
　以上説明したように、本発明に係るサービス起動システムは、公衆無線通信端末と無線タグを用いて、例えば、商品購入サービス、商品管理サービス、商品受け渡しサービス、錠付戸棚、駐車サービス、自動改札サービス、等のサービス起動システムに適用することができる。
【図面の簡単な説明】
【０５３５】
【図１】本発明によるサービス起動システムの構成を例示するブロック図である。
【図２】本発明による公衆無線通信端末の構成を例示するブロック図である。
【図３】本発明による無線タグと公衆無線通信端末の無線タグ読み取り口の構成を例示するブロック図である。
【図４】本発明によるサービス起動システムの動作の流れを例示するフローチャートである。
【図５】無線タグのメモリに書き込むデータを例示する図である。
【図６】本発明によるサービス起動システムの構成を例示するブロック図である。
【図７】本発明によるサービス起動システムの動作の流れを例示するフローチャートである。
【図８】無線タグのメモリに書き込むデータを例示する図である。
【図９】サービス特定データベースの構成を例示する図である。
【図１０】本発明によるサービス起動システムの構成を例示するブロック図である。
【図１１】本発明によるサービス起動システムの動作の流れを例示するフローチャートである。
【図１２】無線タグのメモリに書き込むデータを例示する図である。
【図１３】サービス内容特定データベースの構成を例示する図である。
【図１４】本発明による時計機構と標準時刻発生手段を備える公衆無線通信端末の無線タグ読み取り口の構成を例示するブロック図である。
【図１５】本発明による時計機構と標準時刻発生手段を備える公衆無線通信端末の無線タグ読み取り口の構成を例示するブロック図である。
【図１６】商品広告その他情報提供媒体の構成を例示する図である。
【図１７】本発明によるサービス起動システムの構成を例示するブロック図である。
【図１８】時間の経過と共に提供する内容を変える商品広告その他情報提供媒体の構成を例示する図である。
【図１９】本発明によるサービス起動システムの動作の流れを例示するフローチャートである。
【図２０】本発明によるサービス起動システムの構成を例示するブロック図である。
【図２１】本発明によるサービス起動システムの動作の流れを例示するフローチャートである。
【図２２】本発明によるサービス起動システムの動作の流れを例示するフローチャートである。
【図２３】本発明によるサービス起動システムの動作の流れを例示するフローチャートである。
【図２４】本発明によるサービス起動システムの動作の流れを例示するフローチャートである。
【図２５】本発明によるサービス起動システムの動作の流れを例示するフローチャートである。
【図２６】本発明によるサービス起動システムの動作の流れを例示するフローチャートである。
【図２７】本発明によるサービス起動システムの動作の流れを例示するフローチャートである。
【図２８】本発明によるサービス起動システムの動作の流れを例示するフローチャートである。
【図２９】本発明によるサービス起動システムの動作の流れを例示するフローチャートである。
【図３０】本発明によるサービス起動システムの動作の流れを例示するフローチャートである。
【図３１】本発明によるサービス起動システムの動作の流れを例示するフローチャートである。
【図３２】本発明によるサービス起動システムの動作の流れを例示するフローチャートである。
【図３３】本発明によるサービス起動システムの構成を例示するブロック図である。
【図３４】錠付き戸棚の中の１個の格納庫の構成を例示する図である。
【図３５】本発明によるサービス起動システムの動作の流れを例示するフローチャートである。
【図３６】本発明によるサービス起動システムの動作の流れを例示するフローチャートである。
【図３７】本発明によるサービス起動システムの動作の流れを例示するフローチャートである。
【図３８】本発明によるサービス起動システムの動作の流れを例示するフローチャートである。
【図３９】本発明によるサービス起動システムの動作の流れを例示するフローチャートである。
【図４０】本発明によるサービス起動システムの動作の流れを例示するフローチャートである。
【図４１】解錠条件記憶部の構成を例示する図である。
【図４２】本発明によるサービス起動システムの動作の流れを例示するフローチャートである。
【図４３】本発明によるサービス起動システムの動作の流れを例示するフローチャートである。
【図４４】本発明によるサービス起動システムの動作の流れを例示するフローチャートである。
【図４５】本発明によるサービス起動システムの動作の流れを例示するフローチャートである。
【図４６】本発明によるサービス起動システムの動作の流れを例示するフローチャートである。
【図４７】本発明によるサービス起動システムの動作の流れを例示するフローチャートである。
【図４８】本発明によるサービス起動システムの動作の流れを例示するフローチャートである。
【図４９】本発明によるサービス起動システムの構成を例示するブロック図である。
【図５０】配送伝票を例示する図である。
【図５１】（１）収集物を特定するサービス、（２）特定された収集物を収集開始させるサービス、（３）収集した物を錠付き戸棚の格納庫へ格納保管するサービス、および、（４）格納保管された収集物を公衆無線通信端末の所有者へ受け渡すサービス、の４つのサービス内容の相互関係と主な情報の流れを例示する図である。
【図５２】現物データベースの構成を例示する図である。
【図５３】配送伝票ファイルの構成を例示する図である。
【図５４】業者データベースの構成を例示する図である。
【図５５】本発明によるサービス起動システムの動作の流れを例示するフローチャートである。
【図５６】本発明によるサービス起動システムの動作の流れを例示するフローチャートである。
【図５７】本発明によるサービス起動システムの動作の流れを例示するフローチャートである。
【図５８】本発明によるサービス起動システムの動作の流れを例示するフローチャートである。
【図５９】本発明によるサービス起動システムの動作の流れを例示するフローチャートである。
【図６０】本発明によるサービス起動システムの動作の流れを例示するフローチャートである。
【図６１】本発明によるサービス起動システムの動作の流れを例示するフローチャートである。
【図６２】本発明によるサービス起動システムの動作の流れを例示するフローチャートである。
【図６３】本発明によるサービス起動システムの動作の流れを例示するフローチャートである。
【図６４】本発明によるサービス起動システムの動作の流れを例示するフローチャートである。
【図６５】本発明によるサービス起動システムの動作の流れを例示するフローチャートである。
【図６６】本発明によるサービス起動システムの動作の流れを例示するフローチャートである。
【図６７】本発明によるサービス起動システムの動作の流れを例示するフローチャートである。
【図６８】本発明によるサービス起動システムの動作の流れを例示するフローチャートである。
【図６９】本発明によるサービス起動システムの動作の流れを例示するフローチャートである。
【符号の説明】
【０５３６】
　３，４，６，８，９　　無線タグのメモリに書き込む情報
　５　　サービス特定データベース
　７　　サービス内容特定データベース
　１０　　サービス提供マシン
　１１　　電源生成部
　１２，２１　　プロセッサ
　１３，２２　　メモリ
　１４、２８ａ　　アンテナ
　１５　　商品広告その他情報提供媒体
　１６　　時間の経過と共に提供する内容を変える商品広告その他情報提供媒体
　１９　　格納庫
　２３　　キーボード
　２４　　ディスプレイ
　２５　　音声入出力／振動機構
　２６　　無線通信送受信部
　２７　　電池
　２８　　無線タグ読み取り口
　２８ｂ　　送受信部
　２８ｃ　　読み取り制御部
　２９　　時計機構
　３０　　標準時刻発生手段
　３１　　錠付き戸棚
　３２　　利用ランプ
　３３　　展示している現物
　３４　　展示中の現物と同等の物
　４２　　現物データベース
　４３　　配送伝票ファイル
　４４　　業者データベース
　４５　　解錠条件記憶部
　５２　　倉庫
　５３　　収集した物
　５４　　配送伝票
　１０１　　無線タグ
　１０２　　公衆無線通信端末
　１０３　　無線通信基地局
　１０４　　サービスサイト
　１０５　　データベースサーバ
【図１】
2004112773.tif 000003
【図２】
2004112773.tif 000004
【図３】
2004112773.tif 000005
【図４】
2004112773.tif 000006
【図５】
2004112773.tif 000007
【図６】
2004112773.tif 000008
【図７】
2004112773.tif 000009
【図８】
2004112773.tif 000010
【図９】
2004112773.tif 000011
【図１０】
2004112773.tif 000012
【図１１】
2004112773.tif 000013
【図１２】
2004112773.tif 000014
【図１３】
2004112773.tif 000015
【図１４】
2004112773.tif 000016
【図１５】
2004112773.tif 000017
【図１６】
2004112773.tif 000018
【図１７】
2004112773.tif 000019
【図１８】
2004112773.tif 000020
【図１９】
2004112773.tif 000021
【図２０】
2004112773.tif 000022
【図２１】
2004112773.tif 000023
【図２２】
2004112773.tif 000024
【図２３】
2004112773.tif 000025
【図２４】
2004112773.tif 000026
【図２５】
2004112773.tif 000027
【図２６】
2004112773.tif 000028
【図２７】
2004112773.tif 000029
【図２８】
2004112773.tif 000030
【図２９】
2004112773.tif 000031
【図３０】
2004112773.tif 000032
【図３１】
2004112773.tif 000033
【図３２】
2004112773.tif 000034
【図３３】
2004112773.tif 000035
【図３４】
2004112773.tif 000036
【図３５】
2004112773.tif 000037
【図３６】
2004112773.tif 000038
【図３７】
2004112773.tif 000039
【図３８】
2004112773.tif 000040
【図３９】
2004112773.tif 000041
【図４０】
2004112773.tif 000042
【図４１】
2004112773.tif 000043
【図４２】
2004112773.tif 000044
【図４３】
2004112773.tif 000045
【図４４】
2004112773.tif 000046
【図４５】
2004112773.tif 000047
【図４６】
2004112773.tif 000048
【図４７】
2004112773.tif 000049
【図４８】
2004112773.tif 000050
【図４９】
2004112773.tif 000051
【図５０】
2004112773.tif 000052
【図５１】
2004112773.tif 000053
【図５２】
2004112773.tif 000054
【図５３】
2004112773.tif 000055
【図５４】
2004112773.tif 000056
【図５５】
2004112773.tif 000057
【図５６】
2004112773.tif 000058
【図５７】
2004112773.tif 000059
【図５８】
2004112773.tif 000060
【図５９】
2004112773.tif 000061
【図６０】
2004112773.tif 000062
【図６１】
2004112773.tif 000063
【図６２】
2004112773.tif 000064
【図６３】
2004112773.tif 000065
【図６４】
2004112773.tif 000066
【図６５】
2004112773.tif 000067
【図６６】
2004112773.tif 000068
【図６７】
2004112773.tif 000069
【図６８】
2004112773.tif 000070
【図６９】
2004112773.tif 000071